(57)【要約】改良された発光カードは、キャリア層と、そのキャリア層に支持状態で相互接続され、電力信号を受け取るための第１および第２の接触パッドすなわちレールと、それら第１および第２の接触パッドと電気結合するために前記キャリア層または別のキャリア層に支持状態で相互接続され、前記第１および第２の接触パッドにおいて電力信号を受け取ると発光する発光パッチとを含む。この発光カードは、前記発光パッチの少なくとも一部を覆い、発光パッチが発光すると発光カードの面上に可視化される所定の画像を形成するための所定のパターンを有するマスクを含んでもよい。【選択図】図１
2021506618.tif 000002
【特許請求の範囲】
【請求項１】
発光可能な発光カードであって、
カード本体であって、
非導電性のキャリア層と、
そのキャリア層の第１面を覆うとともにそのキャリア層に相互接続される第１のコア層であって、少なくとも部分的に光透過性を有するものと
を有するものと、
導電性の第１および第２の接触パッドであって、隙間を隔てて互いに対向する関係で、前記キャリア層に支持状態で相互接続され、それにより、外部電源および搭載電源のうちの一方から電力信号を受け取るものと、
発光可能な発光パッチであって、前記第１および第２の接触レールの間において、前記キャリア層に支持状態で相互接続され、それにより、前記第１および第２の接触レールにおいて電力信号を受け取ると発光するものと、
マスクであって、前記発光パッチのうちの少なくとも一部を覆うとともに、前記発光パッチが発光すると当該発光カードの第１面上において可視化される所定の画像を形成するものと
を含む発光カード。
【請求項２】
前記第１および第２の接触パッドは、それぞれ、第１および第２の接触レールによって形成され、それら第１および第２の接触レールのうち互いに対向する複数のエッジ部である複数の対向エッジ部は、それぞれ対応する長さを第１の寸法の方向に有しており、それぞれ対応する長さは、前記発光パッチが前記第１の寸法の方向に横切る複数の寸法である複数のクロス寸法のうちの最大値である最大クロス寸法より長い請求項１に記載の発光カード。
【請求項３】
前記第１および第２の接触レールの前記複数の対向エッジ部は、前記発光パッチのうち、それぞれ対応する長さに沿って前記発光パッチと一致するように(coincidentally along the corresponding lengths thereof)延びる請求項２に記載の発光カード。
【請求項４】
前記第１および第２の接触レールの前記複数の対向エッジ部は、前記発光パッチのうち、それぞれ対応する長さに沿って前記発光パッチに対して実質的に平行である関係で(in substantially parallel relation along the corresponding lengths thereof)延びる請求項２に記載の発光カード。
【請求項５】
前記カード本体は、矩形状を成し、前記第１および第２の接触レールの前記複数の対向エッジ部は、前記カード本体の周方向エッジに対して平行である関係で延びる請求項４に記載の発光カード。
【請求項６】
前記第１および第２の接触レールは、それぞれ対応する幅として、それぞれ対応する自身の長さに沿って実質的に一定である幅を有する請求項４に記載の発光カード。
【請求項７】
前記第１の接触レールの前記対向エッジ部のうちの第１部分は、前記発光パッチのうち、対応するエッジ部とオーバーラップし、前記第１の接触レールのうちの第２部分は、前記発光パッチの前記対応するエッジ部を前記第１の寸法の方向に越えて延びる請求項２に記載の発光カード。
【請求項８】
前記第２部分は、それに対応する長さであって前記第１の寸法の方向におけるものを、前記第１部分の長さであって前記第１の寸法の方向におけるものの少なくとも５０％として有する請求項７に記載の発光カード。
【請求項９】
前記発光パッチは、次の複数の形状のうちのいずれかを有しており、それら形状は、
多角形形状および
楕円形形状である請求項２に記載の発光カード。
【請求項１０】
前記マスクは、
前記キャリア層に支持状態で相互接続される表面と、
前記第１のコア層の表面と
のうちの一方の上に印刷される印刷マスクを含む請求項１に記載の発光カード。
【請求項１１】
前記印刷マスクは、実質的に不透明であるインクを含む請求項１０に記載の発光カード。
【請求項１２】
前記マスクは、前記第１のコア層の内向き面および外向き面のうちの一方の上に印刷される印刷マスクを含み、その印刷マスクが、プリント層のうちの少なくとも第１部分を形成する請求項１に記載の発光カード。
【請求項１３】
前記プリント層のうちの第２部分は、さらに、
可視の人間可読キャラクタと、
可視のグラフィクスと、
可視の機械可読マーキングと、
前記第１のコア層の前記一方の内向き面および外向き面のうちの実質的に全体にわたって延びる印刷層と
のうちの少なくとも１つを含む請求項１２に記載の発光カード。
【請求項１４】
さらに、
半透明層であって、前記発光パッチとオーバーラップする関係で、前記発光パッチと前記第１のコア層との間に配置されるものを含み、
前記カード本体のうちの少なくとも１つの周方向エッジは、前記発光パッチが発光すると前記半透明層によって照らされる請求項１に記載の発光カード。
【請求項１５】
前記カード本体は、さらに、
前記キャリア層にそれの下向き面上において相互接続される第２のコア層と、
前記キャリア層にそれの下向き面上において相互接続される第２のコア層であって、前記キャリア層との間に金属箔層が相互接続されるものと
のうちの少なくとも一方または両方を含む請求項１に記載の発光カード。
【請求項１６】
さらに、
アンテナであって、そのアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと、
集積回路チップであって、その集積回路チップは、外部の接触型チップカードリーダから接触型電力信号を受け取るために配置される複数の接触パッドに電気的に相互接続され、前記第１および第２の接触パッドは、前記接触型電力信号を受け取るために前記集積回路チップのうち互いに異なる複数の接触端子に電気的に相互接続されるものと
のうちの少なくとも一方を含む請求項１に記載の発光カード。
【請求項１７】
さらに、
当該発光カードの前記第１面に位置するポケット内に配置される集積回路チップと、
アンテナであって、そのアンテナのうちの互いに異なる複数の位置において、前記第１および第２の接触パッドのうちの互いに異なる複数のものに電気的に相互接続されるとともに、前記集積回路チップに直接的に結合されるかまたは誘導的に結合されることが可能であり、それにより、高周波電磁波の外部放射源から非接触型電力信号を受信するものと
を含む請求項１に記載の発光カード。
【請求項１８】
さらに、
第１のアンテナであって、前記キャリア層に支持状態で相互接続されるとともに、前記第１のアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものを含む請求項１に記載の発光カード。
【請求項１９】
さらに、
当該発光カードの前記第１面に位置するポケット内に配置される集積回路チップと、
第２のアンテナであって、前記キャリア層に支持状態で相互接続されるとともに、前記集積回路チップに直接的に結合されるまたは誘導的に結合されることが可能であり、それにより、前記高周波電磁波の外部放射源を含む外部の非接触型チップカードリーダから非接触型電力信号を受信するものを含む請求項１８に記載の発光カード。
【請求項２０】
前記第１のアンテナは、第１の複数の金属ループを含み、前記第２のアンテナは、第２の複数のアンテナループを含み、前記第２の複数の金属ループは、前記キャリア層上において前記第１の複数の金属ループの周りを延びる請求項１９に記載の発光カード。
【請求項２１】
前記第２の複数の金属ループは、前記キャリア層上において前記第１および第２の接触パッドならびに前記発光パッチの周りを延びる請求項２０に記載の発光カード。
【請求項２２】
さらに、
前記発光パッチのうちの少なくとも一部を覆う燐光パッチであって、その覆われる発光パッチと前記マスクとの間に配置されるものを含む請求項１に記載の発光カード。
【請求項２３】
前記燐光パッチは、前記キャリア層の上向き面および下向き面のうちの一方に直接接触状態でかつ支持状態で相互接続される請求項２２に記載の発光カード。
【請求項２４】
前記発光パッチならびに前記第１および第２の接触パッドは、前記キャリア層の下向き面に支持状態で相互接続され、
前記キャリア層は、少なくとも部分的に光透過性を有し、
当該発光カードは、さらに、
アンテナであって、前記キャリア層の前記下向き面に支持状態で相互接続されるとともに、前記アンテナのうちの互いに異なる複数の位置において、前記第１および前記第２の接触パッドのうち互いに異なる複数のものに電気的に相互接続され、それにより、高周波電磁波の外部放射源から非接触型電力信号を受信するものを含む請求項１に記載の発光カード。
【請求項２５】
前記第１および第２の接触パッドは、前記キャリア層の上向き面に支持状態で相互接続され、
当該発光カードは、さらに、
前記キャリア層とそれを覆う前記第１のコア層との間に配置される非導電性の第２のキャリア層であって、前記発光パッチは、前記第２のキャリア層の下向き面に支持状態で相互接続されるものと、
アンテナであって、前記キャリア層の前記下向き面に支持状態で相互接続されるとともに、前記アンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと
を含む請求項１に記載の発光カード。
【請求項２６】
複数枚の発光カードであって、各発光カードごとに、
共通の構成を有する(commonly-configured、複数枚の発光カードに共通の構成を有する)カード本体であって、
非導電性のキャリア層と、
そのキャリア層を覆うとともにそれに相互接続される第１のコア層であって、少なくとも部分的に光透過性を有するものと
を有するものと、
共通の構成を有するとともに導電性の第１および第２の接触パッドであって、隙間を隔てて互いに対向する関係で、前記キャリア層に支持状態で相互接続され、それにより、外部電源および搭載電源のうちの一方から電力信号を受け取るものと
を含み、
前記複数枚の発光カードのうちの第１部分(first portion、第１部分集合)につき、それぞれ対応する発光カードは、
共通の構成を有する第１の発光パッチであって、対応する第１および第２の接触パッドにおいて電力信号を受け取ると発光するために、対応する第１および第２の接触パッドと電気的に結合するように支持状態で配置されるものと、
共通の構成を有する第１のマスクであって、対応する第１の発光パッチのうちの少なくとも一部を覆うとともに、対応する前記共通の構成を有する第１の発光パッチが発光すると当該発光カードの第１面上に可視化される第１の所定の画像を形成するものと
を含み、
前記複数枚の発光カードのうちの第２部分(second portion、第２部分集合)につき、それぞれ対応する発光カードは、
共通の構成を有する第２の発光パッチであって、対応する第１および第２の接触パッドにおいて電力信号を受け取ると発光するために、対応する第１および第２の接触パッドと電気的に結合するように支持状態で配置されるものと、
共通の構成を有する第２のマスクであって、対応する第２の発光パッチのうちの少なくとも一部を覆うとともに、対応する前記共通の構成を有する第２の発光パッチが発光すると当該発光カードの第１面上に可視化される第２の所定の画像を形成するものと
を含み、
前記共通の構成を有する第１のマスクおよび前記第１の所定の画像は、それぞれ、前記共通の構成を有する第２のマスクおよび前記第２の所定の画像とは異なる複数枚の発光カード。
【請求項２７】
前記複数枚の発光カードのうちの前記第１部分の各発光カードにつき、対応する前記共通の構成を有する第１の発光パッチは、対応する第１および第２の接触パッドに対する第１の相対位置であって共通するものに配置され、前記複数枚の発光カードのうちの前記第２部分の各発光カードにつき、対応する前記共通の構成を有する第２の発光パッチは、対応する第１および第２の接触パッドに対する第２の相対位置であって共通するものに配置され、前記第１の相対位置と前記第２の相対位置とは、互いに異なる請求項２６に記載の複数枚の発光カード。
【請求項２８】
前記複数枚の発光カードのそれぞれにつき、対応する第１および第２の接触パッドは、それぞれ、第１および第２の接触レールによって形成され、対応する第１および第２の接触レールのうち互いに対向する複数のエッジ部である複数の対向エッジ部は、それぞれ対応する長さを第１の寸法の方向に有しており、それぞれ対応する長さは、対応する前記共通の構成を有する第１の発光パッチ、または対応する前記共通の構成を有する第２の発光パッチが前記第１の寸法の方向に横切る複数の寸法である複数のクロス寸法のうちの最大値である最大クロス寸法より長い請求項２７に記載の複数枚の発光カード。
【請求項２９】
前記共通の構成を有する第１の発光パッチと前記共通の構成を有する第２の発光パッチとは、互いに異なり、前記共通の構成を有する第１の発光パッチおよび前記共通の構成を有する第２の発光パッチは、互いに実質的に共通する電気負荷を有する請求項２６に記載の複数枚の発光カード。
【請求項３０】
当該複数枚の発光カードのそれぞれは、請求項１ないし２５のいずれかに記載の発光カードの特徴部または請求項３１ないし８４のいずれかに記載の発光カードの特徴部を含む請求項２６に記載の複数枚の発光カード。
【請求項３１】
発光可能な発光カードであって、
カード本体であって、
非導電性のキャリア層と、
そのキャリア層を覆うとともにそれに相互接続される第１のコア層と
を有するものと、
導電性の第１および第２の接触レールであって、隙間を隔てて互いに対向する関係で、前記キャリア層に支持状態で相互接続され、それにより、外部電源および搭載電源のうちの一方から電力信号を受け取るものと、
発光可能な発光パッチであって、前記第１および第２の接触レールにおいて電力信号を受け取ると発光するために前記第１および第２の接触レールと電気的に結合するように支持状態で配置されるものと
を含み、
前記第１および第２の接触レールのうち互いに対向する複数のエッジ部である複数の対向エッジ部は、それぞれ対応する長さを第１の寸法の方向に有しており、それぞれ対応する長さは、対応する前記発光パッチが前記第１の寸法の方向に横切る複数の寸法である複数のクロス寸法のうちの最大値である最大クロス寸法より長い発光カード。
【請求項３２】
前記第１および第２の接触レールの前記複数の対向エッジ部は、前記発光パッチのうち、それぞれ対応する長さに沿って前記発光パッチと一致するように(coincidentally along the corresponding lengths thereof)延びる請求項３１に記載の発光カード。
【請求項３３】
前記第１および第２の接触レールの前記複数の対向エッジ部は、前記発光パッチのうち、それぞれ対応する長さに沿って前記発光パッチに対して実質的に平行である関係で(in substantially parallel relation along the corresponding lengths thereof)延びる請求項３２に記載の発光カード。
【請求項３４】
前記カード本体は、矩形状を成し、前記第１および第２の接触レールの前記複数の対向エッジ部は、前記カード本体の周方向エッジに対して平行である関係で延びる請求項３３に記載の発光カード。
【請求項３５】
前記第１および第２の接触レールは、それぞれ対応する幅として、それぞれ対応する自身の長さに沿って実質的に一定である幅を有する請求項３３に記載の発光カード。
【請求項３６】
前記第１の接触レールの前記対向エッジ部のうちの第１部分は、前記発光パッチのうち、対応するエッジ部とオーバーラップし、前記第１の接触レールのうちの第２部分は、前記発光パッチの前記対応するエッジ部を前記第１の寸法の方向に越えて延びる請求項１に記載の発光カード。
【請求項３７】
前記第２部分は、それに対応する長さであって前記第１の寸法の方向におけるものを、前記第１部分の長さであって前記第１の寸法の方向におけるものの少なくとも５０％として有する請求項３０に記載の発光カード。
【請求項３８】
前記発光パッチは、次の複数の形状のうちのいずれかを有しており、それら形状は、
多角形形状および
楕円形形状である請求項３１に記載の発光カード。
【請求項３９】
さらに、マスクを含み、そのマスクは、前記発光パッチのうちの少なくとも一部を覆うとともに、前記発光パッチが発光すると当該発光カードの第１面上において可視化される所定の画像を形成する請求項３１に記載の発光カード。
【請求項４０】
前記マスクは、
前記キャリア層に支持状態で相互接続される表面と、
前記第１のコア層の表面と
のうちの一方の上に印刷される印刷マスクを含む請求項３９に記載の発光カード。
【請求項４１】
前記印刷マスクは、実質的に不透明であるインクを含む請求項４０に記載の発光カード。
【請求項４２】
前記マスクは、前記第１のコア層の内向き面および外向き面のうちの一方の上に印刷される印刷マスクを含み、その印刷マスクが、プリント層のうちの少なくとも第１部分を形成する請求項３９に記載の発光カード。
【請求項４３】
前記プリント層のうちの第２部分は、さらに、
可視の人間可読キャラクタと、
可視のグラフィクスと、
可視の機械可読マーキングと、
前記第１のコア層の前記一方の内向き面および外向き面のうちの実質的に全体にわたって延びる印刷層と
のうちの少なくとも１つを含む請求項４２に記載の発光カード。
【請求項４４】
さらに、
半透明層であって、前記発光パッチとオーバーラップする関係で、前記発光パッチと前記第１のコア層との間に配置されるものを含み、
前記カード本体のうちの少なくとも１つの周方向エッジは、前記発光パッチが発光すると前記半透明層によって照らされる請求項３１に記載の発光カード。
【請求項４５】
前記カード本体は、さらに、
前記キャリア層にそれの下向き面上において相互接続される第２のコア層と、
前記キャリア層にそれの下向き面上において相互接続される第２のコア層であって、前記キャリア層との間に金属箔層が相互接続されるものと
のうちの少なくとも一方または両方を含む請求項３１に記載の発光カード。
【請求項４６】
さらに、
アンテナであって、そのアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと、
集積回路チップであって、その集積回路チップは、外部の接触型チップカードリーダから接触型電力信号を受け取るために配置される複数の接触パッドに電気的に相互接続され、前記第１および第２の接触パッドは、前記接触型電力信号を受け取るために前記集積回路チップのうち互いに異なる複数の接触端子に電気的に相互接続されるものと
のうちの少なくとも一方を含む請求項３１に記載の発光カード。
【請求項４７】
さらに、
当該発光カードの前記第１面に位置するポケット内に配置される集積回路チップと、
アンテナであって、そのアンテナのうちの互いに異なる複数の位置において、前記第１および第２の接触パッドのうちの互いに異なる複数のものに電気的に相互接続されるとともに、前記集積回路チップに直接的に結合されるかまたは誘導的に結合されることが可能であり、それにより、高周波電磁波の外部放射源から非接触型電力信号を受信するものと
を含む請求項３１に記載の発光カード。
【請求項４８】
さらに、
第１のアンテナであって、前記キャリア層に支持状態で相互接続されるとともに、前記第１のアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものを含む請求項３１に記載の発光カード。
【請求項４９】
さらに、
当該発光カードの前記第１面に位置するポケット内に配置される集積回路チップと、
第２のアンテナであって、前記キャリア層に支持状態で相互接続されるとともに、前記集積回路チップに直接的に結合されるまたは誘導的に結合されることが可能であり、それにより、前記高周波電磁波の外部放射源を含む外部の非接触型チップカードリーダから非接触型電力信号を受信するものを含む請求項４８に記載の発光カード。
【請求項５０】
前記第１のアンテナは、第１の複数の金属ループを含み、前記第２のアンテナは、第２の複数のアンテナループを含み、前記第２の複数の金属ループは、前記キャリア層上において前記第１の複数の金属ループの周りを延びる請求項４９に記載の発光カード。
【請求項５１】
前記第２の複数の金属ループは、前記キャリア層上において前記第１および第２の接触パッドならびに前記発光パッチの周りを延びる請求項５０に記載の発光カード。
【請求項５２】
さらに、
前記発光パッチのうちの少なくとも一部を覆う燐光パッチであって、その覆われる発光パッチと前記マスクとの間に配置されるものを含む請求項３１に記載の発光カード。
【請求項５３】
前記燐光パッチは、前記キャリア層の上向き面および下向き面のうちの一方に直接接触状態で支持状態で相互接続される請求項５２に記載の発光カード。
【請求項５４】
前記発光パッチならびに前記第１および第２の接触パッドは、前記キャリア層の下向き面に支持状態で相互接続され、
前記キャリア層は、少なくとも部分的に光透過性を有し、
当該発光カードは、さらに、
アンテナであって、前記キャリア層の前記下向き面に支持状態で相互接続されるとともに、前記アンテナのうちの互いに異なる複数の位置において、前記第１および前記第２の接触パッドのうち互いに異なる複数のものに電気的に相互接続され、それにより、高周波電磁波の外部放射源から非接触型電力信号を受信するものを含む請求項３１に記載の発光カード。
【請求項５５】
前記第１および第２の接触パッドは、前記キャリア層の上向き面に支持状態で相互接続され、
当該発光カードは、さらに、
前記キャリア層とそれを覆う前記第１のコア層との間に配置される非導電性の第２のキャリア層であって、前記発光パッチは、前記第２のキャリア層の下向き面に支持状態で相互接続されるものと、
アンテナであって、前記キャリア層の前記下向き面に支持状態で相互接続されるとともに、前記アンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと
を含む請求項３１に記載の発光カード。
【請求項５６】
発光可能な発光カードであって、
カード本体であって、
非導電性の第１のキャリア層と、
その第１のキャリア層に相互接続される非導電性の第２のキャリア層と、
その第２のキャリア層を覆うとともにそれに相互接続される第１のコア層と
を有するものと、
導電性の第１および第２の接触パッドであって、隙間を隔てて互いに対向する関係で、前記第１のキャリア層の上向き面に支持状態で相互接続され、それにより、外部電源および搭載電源のうちの一方から電力信号を受け取るものと、
発光可能な発光パッチであって、前記第１および第２の接触パッドにおいて電力信号を受け取ると発光するために前記第１および第２の接触パッドと電気的に結合するように前記第２のキャリア層の上向き面に支持状態で配置されるものと
を含む発光カード。
【請求項５７】
前記第１および第２の接触パッドは、それぞれ、第１および第２の接触レールによって形成され、それら第１および第２の接触レールのうち互いに対向する複数のエッジ部である複数の対向エッジ部は、それぞれ対応する長さを第１の寸法の方向に有しており、それぞれ対応する長さは、前記発光パッチが前記第１の寸法の方向に横切る複数の寸法である複数のクロス寸法のうちの最大値である最大クロス寸法より長い請求項５６に記載の発光カード。
【請求項５８】
前記第１および第２の接触レールの前記複数の対向エッジ部は、前記発光パッチのうち、それぞれ対応する長さに沿って前記発光パッチと一致するように(coincidentally along the corresponding lengths thereof)延びる請求項５７に記載の発光カード。
【請求項５９】
前記第１および第２の接触レールの前記複数の対向エッジ部は、前記発光パッチのうち、それぞれ対応する長さに沿って前記発光パッチに対して実質的に平行である関係で(in substantially parallel relation along the corresponding lengths thereof)延びる請求項５７に記載の発光カード。
【請求項６０】
前記カード本体は、矩形状を成し、前記第１および第２の接触レールの前記複数の対向エッジ部は、前記カード本体の周方向エッジに対して平行である関係で延びる請求項５９に記載の発光カード。
【請求項６１】
前記第１および第２の接触レールは、それぞれ対応する幅として、それぞれ対応する自身の長さに沿って実質的に一定である幅を有する請求項５９に記載の発光カード。
【請求項６２】
前記第１の接触レールの前記対向エッジ部のうちの第１部分は、前記発光パッチのうち、対応するエッジ部とオーバーラップし、前記第１の接触レールのうちの第２部分は、前記発光パッチの前記対応するエッジ部を前記第１の寸法の方向に越えて延びる請求項５７に記載の発光カード。
【請求項６３】
前記第２部分は、それに対応する長さであって前記第１の寸法の方向におけるものを、前記第１部分の長さであって前記第１の寸法の方向におけるものの少なくとも５０％として有する請求項６２に記載の発光カード。
【請求項６４】
前記発光パッチは、次の複数の形状のうちのいずれかを有しており、それら形状は、
多角形形状および
楕円形形状である請求項５７に記載の発光カード。
【請求項６５】
前記発光パッチは、長手形状を有するとともに、当該発光カードのうちの少なくとも１つの周方向エッジに沿って延びる請求項５６に記載の発光カード。
【請求項６６】
前記発光パッチは、長手形状を有するとともに、当該発光カードの複数の周方向エッジに沿って延びる請求項５６に記載の発光カード。
【請求項６７】
前記発光パッチは、フレーム状の形状を有するとともに、当該発光カードの全周の周方向エッジに沿って延びる請求項５６に記載の発光カード。
【請求項６８】
さらに、マスクを含み、そのマスクは、前記発光パッチのうちの少なくとも一部を覆うとともに、前記発光パッチが発光すると当該発光カードの第１面上において可視化される所定の画像を形成する請求項５６に記載の発光カード。
【請求項６９】
前記マスクは、
前記第２のキャリア層に支持状態で相互接続される表面と、
前記第１のコア層の表面と
のうちの一方の上に印刷される印刷マスクを含む請求項６８に記載の発光カード。
【請求項７０】
前記印刷マスクは、実質的に不透明であるインクを含む請求項６９に記載の発光カード。
【請求項７１】
前記マスクは、前記第１のコア層の内向き面および外向き面のうちの一方の上に印刷される印刷マスクを含み、その印刷マスクが、プリント層のうちの少なくとも第１部分を形成する請求項６８に記載の発光カード。
【請求項７２】
前記プリント層のうちの第２部分は、さらに、
可視の人間可読キャラクタと、
可視のグラフィクスと、
可視の機械可読マーキングと、
前記第１のコア層の前記一方の内向き面および外向き面のうちの実質的に全体にわたって延びる印刷層と
のうちの少なくとも１つを含む請求項７１に記載の発光カード。
【請求項７３】
さらに、
半透明層であって、前記発光パッチとオーバーラップする関係で、前記発光パッチと前記第１のコア層との間に配置されるものを含み、
前記カード本体のうちの少なくとも１つの周方向エッジは、前記発光パッチが発光すると前記半透明層によって照らされる請求項５６に記載の発光カード。
【請求項７４】
前記カード本体は、さらに、
前記キャリア層にそれの下向き面上において相互接続される第２のコア層と、
前記キャリア層にそれの下向き面上において相互接続される第２のコア層であって、前記キャリア層との間に金属箔層が相互接続されるものと
のうちの少なくとも一方または両方を含む請求項５６に記載の発光カード。
【請求項７５】
さらに、
アンテナであって、そのアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと、
集積回路チップであって、その集積回路チップは、外部の接触型チップカードリーダから接触型電力信号を受け取るために配置される複数の接触パッドに電気的に相互接続され、前記第１および第２の接触パッドは、前記接触型電力信号を受け取るために前記集積回路チップのうち互いに異なる複数の接触端子に電気的に相互接続されるものと
のうちの少なくとも一方を含む請求項５６に記載の発光カード。
【請求項７６】
さらに、
当該発光カードの前記第１面に位置するポケット内に配置される集積回路チップと、
アンテナであって、そのアンテナのうちの互いに異なる複数の位置において、前記第１および第２の接触パッドのうちの互いに異なる複数のものに電気的に相互接続されるとともに、前記集積回路チップに直接的に結合されるかまたは誘導的に結合されることが可能であり、それにより、高周波電磁波の外部放射源から非接触型電力信号を受信するものと
を含む請求項５６に記載の発光カード。
【請求項７７】
さらに、
第１のアンテナであって、前記キャリア層に支持状態で相互接続されるとともに、前記第１のアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものを含む請求項５６に記載の発光カード。
【請求項７８】
さらに、
当該発光カードの前記第１面に位置するポケット内に配置される集積回路チップと、
第２のアンテナであって、前記キャリア層に支持状態で相互接続されるとともに、前記集積回路チップに直接的に結合されるまたは誘導的に結合されることが可能であり、それにより、前記高周波電磁波の外部放射源を含む外部の非接触型チップカードリーダから非接触型電力信号を受信するものを含む請求項７７に記載の発光カード。
【請求項７９】
前記第１のアンテナは、第１の複数の金属ループを含み、前記第２のアンテナは、第２の複数のアンテナループを含み、前記第２の複数の金属ループは、前記キャリア層上において前記第１の複数の金属ループの周りを延びる請求項７８に記載の発光カード。
【請求項８０】
前記第２の複数の金属ループは、前記キャリア層上において前記第１および第２の接触パッドならびに前記発光パッチの周りを延びる請求項７９に記載の発光カード。
【請求項８１】
さらに、
前記発光パッチのうちの少なくとも一部を覆う燐光パッチであって、その覆われる発光パッチと前記マスクとの間に配置されるものを含む請求項５６に記載の発光カード。
【請求項８２】
前記燐光パッチは、前記第２のキャリア層の上向き面および下向き面のうちの一方に直接接触状態で支持状態で相互接続される請求項８１に記載の発光カード。
【請求項８３】
前記発光パッチならびに前記第１および第２の接触パッドは、前記キャリア層の下向き面に支持状態で相互接続され、
前記キャリア層は、少なくとも部分的に光透過性を有し、
当該発光カードは、さらに、
アンテナであって、前記キャリア層の前記下向き面に支持状態で相互接続されるとともに、前記アンテナのうちの互いに異なる複数の位置において、前記第１および第２の接触パッドのうち互いに異なる複数のものに電気的に相互接続され、それにより、高周波電磁波の外部放射源から非接触型電力信号を受信するものを含む請求項５６に記載の発光カード。
【請求項８４】
前記第１および第２の接触パッドは、前記キャリア層の上向き面に支持状態で相互接続され、
当該発光カードは、さらに、
前記キャリア層とそれを覆う前記第１のコア層との間に配置される非導電性の第２のキャリア層であって、前記発光パッチは、前記第２のキャリア層の下向き面に支持状態で相互接続されるものと、
アンテナであって、前記キャリア層の前記下向き面に支持状態で相互接続されるとともに、前記アンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと
を含む請求項５６に記載の発光カード。
【発明の詳細な説明】
【技術分野】
【０００１】
本出願は、２０１７年１２月１２日に出願された、「発光カード（ILLUMINABLE CARDS）」という名称の米国仮特許出願第６２／５９７，７６２号の優先権の利益を主張しており、その出願は、その全体において、参照によってこの出願書類に合体する。
【背景技術】
【０００２】
１枚のパネル(panel、板状のもの)より成るカード、特に、札入れまたは財布に対する素早い出し入れに適したサイズを有するカードが、広範な多様性を有する複数の目的で利用される。例えば、この種のカードは、コレクタカード、アクセスカード、身分証明カード、ロイヤリティカード、会員カード、交通カード、およびトランザクション(transaction、商取引)カード（例えば、クレジットカード、デビットカードおよびギフトカード）という形態をとるかもしれない。この種のカードは、しばしば、特定の金融機関、および／または製品および／またはサービスの特定の販売業者であって、この種のカードを発行するかまたはこの種のカードの流通／使用を促進するものに関連付けられる。したがって、この種のカードは、しばしば、対応する販売業者および／または金融機関に固有であるかまたはそれ以外の方法で関連付けられる視覚的および／または機能的な特徴部を含み、それにより、販売業者および／または金融機関に対する消費者のブランド認知および信頼が高められる。
【０００３】
あるカードを別のカードから区別するために、上述の特性を有する複数枚のカードが、ますます独創的になる特徴部(features、いくつかの特徴部)を組み込むことが行われてきている。しかしながら、この種のいくつかの特徴部は、しばしば、多大なカード製造費用の追加を伴い、それにより、実施の普及が抑制される。例えば、この種のいくつかの特徴部の実施(implementation、カードへの実装、実現、装着など)は、ある程度のカスタマイズ化を伴うかもしれず、そのカスタマイズ化の程度は、比較的に小規模であるかあるいはコスト意識の高い金融機関および販売業者による限定的であるかまたはそれどころか広範であるカード流通活動にとってあまりにも高価すぎる。さらに、この種の独創的な特徴部の組み込みでは、しばしば、相反する２つの目的、すなわち、視覚面でのカード差別化または機能面でのカード差別化のうちの１つしか達成されない。
【発明の概要】
【０００４】
この出願書類の開示事項は、改良されたカードおよび製造方法についてのいくつかの具体例を含み、それらカードおよび製造方法は、カードのカスタマイズ化およびカードの製造効率化の両方を実現することにより、独創的な視覚的／機能的な発光特徴部(illumination features、発光を行う特徴部など)の実施を容易にする。
【０００５】
一実施形態においては、発光(illuminable、発光可能な、自発光、直接発光、間接発光、直接光発光、間接光発光、反射型発光など)カードが、カード本体を有してもよく、そのカード本体は、非導電性のキャリア(carrier、支持)層と、第１のコア層とを有してもよく、その第１のコア層は、少なくとも部分的に光透過性を有し（例えば、透明または半透明であり）、かつ、前記キャリア層を覆う(overlying、オーバーレイする、重畳する、被覆する)とともに前記キャリア層に相互接続される(interconnected、機械的に相互に接続される、機械的に相互に連結される、機械的に結合されるなど)。さらに、当該発光カードは、導電性を有する第１および第２の接触パッドと、発光パッチ(patch、断片部、孤立部など）とを有してもよく、前記第１および第２の接触パッドは、外部電源（すなわち、当該発光カードに内蔵（搭載）されない非接触型および／または接触型の電源）と、搭載電源(on-board power supply、内蔵電源、内部電源など)（例えば、バッテリまたはそれと同様のもの）との一方から電力信号(power signal、電気エネルギーを有する電気信号など)を受け取るために、隙間を隔てて前記キャリア層と対向する状態で、そのキャリア層に支持状態で(supportably、キャリア層によって支持される状態で)相互接続されており(interconnected)、前記発光パッチは、それら第１および第２の接触パッドと電気的な結合（例えば、直接結合または容量結合）を行うために、例えば前記第１および第２の接触パッドの間において、前記キャリア層に支持状態で相互接続され、それにより、前記第１および第２の接触パッドにおいて電力信号を受け取ると、前記発光カードの第１面(side、側)上にある前記第１のコア層を通した(through、透過した)発光が行われる。
【０００６】
この種の発光は、審美的および／または機能的な目的のために実現されてもよい。例えば、前記発光は、視覚的表示を、当該発光カードについて予定された機能的使用を行うことに関連して提供してもよいし、および／または目標の視覚的画像(a desired visual image)を提供するかまたはそれを強調表示してもよい。
【０００７】
この種の目的のために、当該発光カードは、さらに、マスク(mask、被覆体、遮蔽体など)を有してもよく、そのマスクは、前記発光パッチの一部を被覆するとともに、前記発光パッチが発光すると当該発光カードの第１面上において可視化される所定の画像(a predetermined image(a desired visual image))を形成する。このマスクは、前記所定の画像を形成するために、前記発光パッチによって発光された光のうちの所定複数個の部分の進行および遮断を行うためのパターンを付与され(patterned、模様を付加され)てもよい。
【０００８】
理解されるかもしれないように、所定の画像を形成するために発光パッチおよびそれを被覆するマスクを設けると、前記目標の画像(the desired image、前記所定の画像)を得るためにカスタマイズ化されるいくつかの光源の構成態様(configuration、配置、形状など)に厳格に依存するいくつかの設計手法に関して多くの利点が提供される。例えば、当該発光カードについての開示されたいくつかの具体例においては、カードについての基本設計構造(base card design)が、前記発光パッチが発光すると前記目標の可視化画像(the desired visible image(the desired image))を提供するマスクの利用によってカスタマイズ化が簡単かつ安価に実現されるように、確立されるかもしれない。例として、前記所定の可視化画像(the predetermined visible image (the desired image))は、名前、ロゴ、文字、グラフィクスまたは他の視覚表現物であって特定の事業体(entitiy、実体、実在するもの)に関連付けられるかまたは特定の事業体によって選択されるものと一致してもよい。
【０００９】
さらに、本発明について想定されるいくつかの具体例においては、前記第１および第２の接触パッドが、それぞれ、長手状の第１および第２の接触レール(rail、長手状の物体、細長い物体など)によって形成されてもよい。したがって、それら第１および第２の接触レールを利用すると、カード製造時、前記発光パッチを、前記第１および第２の接触レールに対して相対的に、互いに異なる複数の位置に素早く(ready、即座に、うまく)位置決めする作業が容易となり、それにより、製造効率を高めるためのカードの基本設計構造の利用を都合のよいように受け入れ(accommodating、実行可能とし)つつ、カードをカスタマイズ化することがさらに容易となる。ここに、前記第１および第２の接触レールのうち互いに対向する複数のエッジ部である複数の対向エッジ部(opposing edge portions、複数の対向辺、対辺)が、第１の寸法の方向において、それぞれ対応する複数の長さを有してもよく、それら長さは、いずれも、前記発光パッチの、前記第１の寸法の方向における最大クロス寸法(maximum cross-dimension、発光パッチが前記第１の寸法の方向に横切るか、延びるかまたは占める複数の寸法である複数のクロス寸法のうちの最大値。発光パッチの、第１の寸法の方向に沿った複数の長さのうちの最大値。長さ方向最大寸法値など)より長い。これに加えるかまたはこれに代えて、前記第１および第２の接触レールのうち互いに対向する複数のエッジ部である複数の対向エッジ部が、第１の寸法の方向において、それぞれ対応する複数の長さを有してもよく、それら長さは、いずれも、前記発光パッチのうちの複数のエッジ部(edge portions、辺、側辺、縁辺)であって、前記第１および第２の接触レールに隣接するとともにそれら接触レールに対応するものの、前記第１の寸法の方向における複数の長さより長く、それにより、前記発光パッチを、前記第１および第２の接触レールに対して相対的に、互いに異なる複数の位置に位置決めする作業が容易となる。
【００１０】
さらに、前記第１および第２の接触レールのうち互いに対向する複数のエッジ部である複数の対向エッジ部が、前記発光パッチのうち、それぞれ対応する長さに沿って前記発光パッチと一致するように(coincidentally along the corresponding lengths thereof、前記発光パッチのうち、それぞれ対応する長さに沿って前記発光パッチのうち、それぞれ対応するエッジ部と一致するかまたはそれに突き当たるように)延びるかおよび／または前記発光パッチのうち、それぞれ対応する長さに沿って前記発光パッチから等間隔で隔たる関係で(in equispaced relation along the corresponding lengths thereof、前記発光パッチのうち、それぞれ対応する長さに沿って前記発光パッチのうち、それぞれ対応するエッジ部から等間隔で隔たる関係で)延びてもよい。例えば、前記第１および第２の接触レールのうち互いに対向する複数のエッジ部である複数の対向エッジ部が、前記発光パッチのうち、それぞれ対応する長さに沿って、前記発光パッチに対して実質的に平行である関係で(in substantially parallel relation along the corresponding lengths thereof、前記発光パッチのうち、それぞれ対応するエッジ部に対して実質的に平行である関係で)延びてもよい。
【００１１】
あるアプローチにおいては、矩形状のカード本体が提供されてもよく、ここに、前記第１および第２の接触レールの前記複数の対向エッジ部は、前記カード本体の周方向エッジ(peripheral edge、カード本体において周方向に延びるエッジ、周縁、外周縁などであり、長さ方向エッジおよび幅方向エッジを含む)に対して平行である関係で延びる。例えば、前記第１および第２の接触レールの前記複数の対向エッジ部は、前記発光カードの長さ方向エッジ(length edge、長さ方向または縦方向に延びるエッジ)または幅方向エッジ(width edge、幅方向または横方向に延びるエッジ)に対して平行に延びてもよく、それにより、前記発光パッチをそれの長さまたは幅に沿って、複数の異なる位置に位置決めする作業が受け入れられる(accommodating、実行可能となる)。
【００１２】
いくつかの実施態様においては、前記第１および第２の接触レールが、それぞれ対応する幅であって実質的に一定であるものを、それぞれ対応する長さに沿って有してもよい。あるアプローチにおいては、前記第１および第２の接触レールが、同一の幅を、それぞれ対応する長さに沿って有してもよい。さらに、前記第１および第２の接触レールは、それぞれ対応する長さであって互いに実質的に等しいものを有してもよい。
【００１３】
いくつかの具体例においては、前記第１の接触レールの前記エッジ部(the edge portion、前記対向エッジ部など)のうちの第１部分が、前記発光パッチのうち、対応する(corresponding、前記第１部分と対応する)エッジ部とオーバーラップしてもよく（すなわち、そのエッジ部に対し、オーバーラップ状態で直に接触する状態で）、また、前記第１の接触レール(the first contact rail、前記第１の接触レールのうちの前記エッジ部)のうちの第２部分が、前記発光パッチの前記対応するエッジ部を超えて第１の寸法の方向に延び（例えば、前記発光パッチの前記対応するエッジ部の両端部の一方または双方を超えて延び）てもよい。この種のいくつかの実施態様においては、前記第１の接触レールの前記エッジ部のうちの第２部分であってオーバーラップを有しない(the non-overlapped、前記発光パッチの前記エッジ部とオーバーラップしない)ものが、対応する長さを第１の寸法の方向において有してもよく、その長さは、前記第１の接触レールの前記エッジ部のうちの前記第１部分であってオーバーラップを有する(the overlapped、前記発光パッチの前記エッジ部とオーバーラップする)ものの、前記第１の寸法の方向における長さの少なくとも５０％であるかまたはそれどころか少なくとも２００％であってもよい。
【００１４】
いくつかの具体例においては、前記マスクが、印刷マスク、例えば、前記第１のコア層の内向き面および／または外向き面上に印刷されたマスクを有してもよい。その印刷マスクは、少なくとも１つまたは複数の印刷インク層を有してもよく、ここに、各印刷インク(the prinnted ink、印刷インク層)は、前記所定の画像を生成するために前記発光パッチによって発光された光のうちの所定の複数の部分の通過を阻止するように少なくとも部分的に不透明であるかまたは実質的に不透明である。
【００１５】
あるアプローチにおいては、前記印刷マスクが、前記第１のコア層上に印刷された第１のプリント層のうちの少なくとも第１部分を形成してもよい。したがって、前記第１のプリント層のうちの第２部分が、
印刷された人間可読キャラクタ(characters、文字、数字、記号など)であって可視化されるもの、
印刷されたグラフィクス(graphics、図柄など)であって可視化されるもの、
印刷された機械可読マークであって可視化されるもの、および
前記第１のコア層の内向き面または外向き面のうちの実質的な全体を横切るように延びる印刷されたフラッド層(flood layer、印刷層）
のうちのいずれかまたは２以上のものを有してもよい。
【００１６】
別のアプローチにおいては、前記マスクが、前記所定の画像を生成するために前記発光パッチによって発光された光のうちの所定の複数の部分の通過を許可するように、少なくとも部分的に不透明であるかまたは実質的に不透明である層(a layer、１つの層)から複数の部分を除去することにより形成されてもよい。例えば、１枚の金属箔層 (foil layer、薄層)であって複数の部分が除去されたものが、前記発光パッチと前記第１のコア層との間に提供されてもよい。
【００１７】
いくつかの実施態様においては、前記第１のプリント層のうちの前記第１部分および前記第２部分が、製造効率をさらに促進するために、連続的な印刷作業の一部として印刷されてもよい。任意選択的に(optionally、オプションとして)、第２のプリント層が、前記第１のコア層の面であって前記第１のプリント層が印刷される面とは反対側のものの上に印刷されてもよく、ここに、前記第２のプリント層は、
印刷された人間可読キャラクタであって可視化されるもの、
印刷されたグラフィクス(graphics、図柄など)であって可視化されるもの、
印刷された機械可読マークであって可視化されるもの、および
前記第１のコア層の内向き面または外向き面のうちの実質的な全体を横切るように延びる印刷されたフラッド層(flood layer、印刷層など)
のうちのいずれかまたは２以上のものを有してもよい。
【００１８】
いくつかの配置構成(arrangements)においては、前記発光パッチが、導電性マトリクス(electricaly conductive matrix、複数の発光ダイオードに電気を伝えるために格子状に配置される複数本の電気経路線など)（例えば、複数の導電性粒子によって形成される）と、前記第１および第２の接触パッドまたは(or、すなわち)レールの間に配置された複数の発光ダイオード(illuminable diodes、電気を光に変換する発光素子など)とを有してもよく、ここに、前記複数の発光ダイオードは、電力信号が前記第１および第２の接触パッドにおいて受け取られると発光する。あるアプローチにおいては、前記複数のダイオード(the diodes、発光ダイオード)が、前記導電性マトリクスのうちの少なくとも一部が前記複数のダイオード上に配置された状態で、前記キャリア層の前記下向き面上に配置されてもよく、ここに、前記導電性マトリクスの一部は、前記第１の接触パッドまたはレールの一部とオーバーラップしてそれによって直に接触してもよく、ここに、前記導電性マトリクスは、前記第２の接触パッドまたはレールからわずかに離間するかまたはそれに直に接触してもよい。この種の配置構成においては、前記キャリア層が、前記発光パッチによって発光された光が当該キャリア層を透過するように透明であってもよい。
【００１９】
任意選択的に、燐光パッチが、前記発光パッチが発光すると蛍光を発するように、前記発光パッチとオーバーラップする関係で、例えば、前記発光パッチと前記マスクとの間に位置するように提供されてもよい。その燐光パッチは、前記発光パッチの形状(configuration、構成など)と実質的に同じ形状を有してもよい。あるアプローチにおいては、前記燐光パッチが、前記発光パッチに対向する関係を有するように、前記キャリア層の前記上向き面に支持状態で相互接続されてもよい。別のアプローチにおいては、前記燐光パッチが、前記発光パッチが前記燐光パッチ上に支持状態で配置された状態で、前記キャリア層の前記下向き面に支持状態で相互接続されてもよい（例えば、導電性マトリクスが複数のダイオード上に支持状態で配置された状態で、前記複数のダイオードが前記燐光パッチ上に支持状態で配置されてもよい）。
【００２０】
いくつかの具体例においては、前記発光カードが、任意選択的な(optional、オプションとして)半透明層を有してもよく、その半透明層は、前記発光パッチと前記被覆を行うマスクとの間に、前記発光パッチとオーバーラップする関係で配置されるとともに、前記発光カードの周方向エッジまで延びる少なくとも一部を有する。したがって、前記発光パッチによって発光される光の一部分が前記半透明層内において内部反射されて前記発光カードの周方向エッジに導かれ、それにより、この種の周方向エッジを照らし(illuminate、発光させ、間接的に発光させ)てもよく、それにより、前記発光カードに差別的な特徴部が付与される。あるアプローチにおいては、前記半透明層がシート状層を有してもよく、そのシート状層は、前記発光カードの前記周方向エッジまで延びてその周方向エッジに沿ってぐるりと(around、全周、または全周のうちの一部に沿って)延びる。例えば、矩形の発光カードが提供される場合、前記長さ方向エッジおよび幅方向エッジの各々は、前記発光パッチが発光すると、前記半透明層によって照らされ(illuminated、照明され、発光させられ、間接的に発光させられ)てもよい。任意選択的に、前記半透明層は、蛍光性の顔料または染料を含有してもよい。
【００２１】
本発明について想定されるいくつかの具体例においては、前記カード本体が、さらに、第２のコア層であって、前記キャリア層のうち前記第１のコア層とは反対側の面に相互接続されるもの、および／または金属層（例えば、金属箔層）であって、前記キャリア層のうち前記第１のコア層とは反対側の面に相互接続されるものを有してもよい。この種のいくつかの具体例に関連し、前記第１のコア層および前記第２のコア層および／または前記金属層が、各層が前記発光カードの周方向エッジに沿ってぐるりと(around、全周に沿って、または全周のうちの一部に沿って)連続的に延びるように、互いに共通する周方向形状(peripheral configuration、外周形状)を有してもよい。
【００２２】
種々のアプローチを、外部電源からの電力信号の受け取りのために実施してもよい。あるアプローチにおいては、前記発光カードが第１のアンテナを有してもよく、その第１のアンテナは、自身の互いに異なる(offset、食い違う、ずれた、互いに対向するなど)複数の位置において（例えば、当該第１のアンテナの両端部と同じ位置またはそれの近傍で）、前記第１および第２の接触パッドまたはレールのうちの互いに異なる複数のもの(different ones、互いに異なる複数の接触パッドなど)に電気的に結合されるかまたは電気的に結合可能であり、それにより、高周波（radio frequency、無線周波数）電磁波を放射する外部放射源から非接触型信号を受け取り、それにより、前記第１および第２の接触パッドに電力信号を提供する。いくつかの具体例においては、前記第１のアンテナが前記キャリア層に支持状態で相互接続されてもよい。いくつかの実施態様においては、前記第１のアンテナが、前記キャリア層の前記下向き面に支持状態で相互接続されてもよく、ここに、前記第１のアンテナは、前記第１および第２の接触パッドまたはレールおよび前記発光パッチの外周に沿って延びてもよい。他のいくつかの実施態様においては、前記第１のアンテナが、前記キャリア層の前記下向き面とは反対側の、前記キャリア層の前記上向き面に支持状態で相互接続されてもよく、ここに、前記第１のアンテナは、前記第１および第２の接触パッドまたはレールおよび前記発光パッチまで、それらとオーバーラップしない状態で延びて、それら接触パッドおよび発光パッチの外周に沿って延びてもよく、ここに、前記第１のアンテナは、前記キャリア層の内部を通過する導電性ブリッジを介して前記第１および第２の接触パッドに電気的に結合されるかまたは電気的に結合可能である。
【００２３】
いくつかの配置構成(arrangement)においては、１枚または複数枚のフィルム層が、前記キャリア層の両面のうちの一方または両方に、前記キャリア層に支持状態で相互接続される複数の部品(components、構成要素)（例えば、前記第１および第２の接触パッド、前記発光パッチ、前記任意選択的な第１のアンテナ、前記任意選択的な燐光パッチ、後に参照される任意選択的な第２の第２アンテナ等）にオーバーラップする状態で相互接続され、それにより、予めラミネートされたインレー(inlay、枠内に部材がはめ込まれることによって形成されるはめ込み体など)を形成してもよい。例えば、透明フィルム層(transparent film layers)が、前記キャリア層およびそれに支持された複数の部品(supported components)の各面に接着によって装着されてそれらの全体を覆い、それにより、予めラミネートされたインレーを提供し、それにより、前記発光カードの１枚または複数枚の追加層（例えば、第２のコア層、金属層、１枚または複数枚の外側保護層、１枚または複数枚の接着層および／または熱硬化性相互接続層等）を用いて組み立てることと、それら追加層との相互接続（例えば、ラミネート加工による）とが容易となる。
【００２４】
いくつかの実施態様においては、前記発光カードが集積回路（ＩＣ）チップと、第２のアンテナとを有してもよく、前記ＩＣチップは、前記発光カードの前記第１面上においてその発光カード内に延びるポケット内に配置され、前記第２のアンテナは、非接触型外部チップカードリーダから非接触型信号を受け取るため、前記ＩＣチップに電気的に結合されるかまたは電気的に結合可能であり、前記非接触型外部チップカードリーダは、高周波(radio frequency、無線周波数)電磁波の放射源を有しており、ここに、前記非接触型信号は、前記第１のアンテナおよび前記第２アンテナによって受信され、それにより、それぞれ、電力信号を前記第１および第２の接触パッドにおいて提供し、合成電力／データ信号(combined power/data signal、電力信号成分とデータ信号成分とが合成された信号など)を前記ＩＣチップに提供する。後者に関し、前記ＩＣチップおよび前記非接触型チップカードリーダは、それらの間の非接触型データ伝送のために提供されてもよい。本発明について想定されるいくつかの配置構成においては、前記第２のアンテナが前記キャリア部材(carrier member、キャリア層など)に支持状態で相互接続されてもよい（例えば、前記第１のアンテナおよび／または前記第１および第２の接触パッドまたはレールが支持状態で相互接続されている面と同じ面または反対側の面に支持状態で相互接続される）。
【００２５】
いくつかの具体例においては、前記第１のアンテナが、第１の複数の金属ループを有してもよく、また、前記第２のアンテナが、第２の複数の金属ループを有してもよく、ここに、前記第２の複数の金属ループは、例えば、前記キャリア層と同じ面または反対側の面上において、前記第１の複数の金属ループの周囲に沿って延びる。さらに、前記第１の複数の金属ループおよび前記第２の複数の金属ループは、前記キャリア層と同じ面または反対側の面上において、前記第１および第２の接触パッドならびに前記発光パッチの外周に沿って延びるように提供されてもよい。
【００２６】
これに代えて、いくつかの具体例においては、前記発光カードが、その発光カードの第１面上においてその発光カード内に延びるポケット内に配置された集積回路（ＩＣ）チップを有してもよく、ここに、前記第１のアンテナは、高周波(radio frequency、無線周波数)電磁波の放射源を有する非接触型外部チップカードリーダから非接触型信号を受け取るために、前記ＩＣチップに電気的に結合されるかまたは電気的に結合可能である。したがって、前記非接触型信号は、第１のアンテナによって受信され、それにより、第１のおよび第２の接触パッドにおいて(at)電力信号を提供するとともに、ＩＣチップに(to)合成電力／データ信号を提供する。後者に関し、ＩＣチップおよび非接触チップカードリーダは、両者間の非接触型データ伝送のために提供されてもよい。
【００２７】
外部電源を利用する別のアプローチにおいては、前記発光カードが、ＩＣチップを有してもよく、そのＩＣチップは、接触型外部チップカードリーダから接触型電力／データ信号を受信するために配置された複数の接触パッドに電気的に相互接続されており、ここに、それらＩＣチップおよび接触型チップカードリーダは、両者間の接触型データ伝送のために提供されてもよい。この種のアプローチに関連して、前記第１および第２の接触パッドまたはレールは、前記発光パッチを発光させるために電力信号を受け取ることを目的として、前記複数の接触パッドのうち互いに異なる複数のもの(different ones)、および／または前記集積回路チップの複数の接触端子であって前記互いに異なる複数の接触パッドに対応するものに電気的に相互接続されてもよい。あるアプローチにおいては、それらＩＣチップおよび複数の接触パッドが、前記発光カードの第１面からその発光カード内に延びるポケット内に配置されてもよい。したがって、金属製の第１および第２の接続線が、前記キャリア層上に支持状態で配置されるとともに、それら接続線がそれぞれ、前記第１および第２の接触パッドまたはレール、および、前記複数の接触パッドのうち互いに異なる複数のもの(different ones)および／または前記集積回路チップの複数の接触端子であって前記互いに異なる複数の接触パッドに対応するものに、かつ、両者の間に相互接続されてもよい。
【００２８】
前記第１のコア層、前記第２のコア層および前記保護用の外側フィルム層は、ポリマー系材料（例えば、ポリ塩化ビニル、ポリエチレンテレフタレート、ポリエチレンテレフタレートグリコール変性ポリエステル、および／またはポリカーボネート）を含有してもよい。さらに、前記キャリア層は、ポリマー系材料（例えば、ポリエチレンテレフタレートおよび／またはポリカーボネート）を含有してもよい。これに加えて、この出願書類中に記載される前述の種々の複数の層は、ラミネート加工により、前記複数の層のうち互いに隣接するものの間に配置される熱接着性ポリマー系層および／または熱硬化性ポリマー系層と相互接続されてもよい。
【００２９】
いくつかの変形された(modified)具体例であって、前述の複数の特徴部のうちの１つまたは２以上のものを組み込んだものにおいては、発光カードが、カード本体を有してもよく、そのカード本体は、相互接続された非導電性の第１および第２のキャリア層と、その第２のキャリア層を覆うとともに、その第２のキャリア層に相互接続された第１のコア層とを有する。導電性の第１および第２の接触パッドが、外部電源（すなわち、前記発光カード内に搭載されない非接触および／または接触型の電源）および搭載電源（例えば、バッテリ等）の一方から電力信号を受け取るために、前記第１のキャリア層の上向き面に支持状態で相互接続されてもよい。さらに、発光パッチが、第１の接触パッドおよび第２の接触パッドと電気結合するために、前記第２のキャリア層の下向き面であって前記第１のキャリア層に対向するものに支持状態で相互接続されてもよく、ここに、前記発光パッチは、前記第１および第２の接触パッドにおいて電力信号を受け取ると発光する。この種の発光は、前記発光カードの第１面上の前記第１のコア層を通して実現されるかおよび／または前記発光カードの周方向エッジにおいて実現されてもよい。
【００３０】
本発明について想定されるいくつかの実施態様においては、前記第２のキャリア層が、透明または半透明であってもよい。後者に関し、前記発光パッチによって発光された光のうちの少なくとも一部が半透明な第２のキャリア層内で内部反射されて前記発光カードの周方向エッジに導かれ、それにより、その周方向エッジが照らされ（illuminate、発光させられ）てもよい。
【００３１】
いくつかの具体例においては、前記発光パッチが、長手形状を有し、前記発光カードの周方向エッジ(peripheral edge、外周全体)のうちの少なくとも一部または全体に沿って延びるように配置されてもよい。例えば、前記発光パッチは、前記発光カードのうちの１本の周方向サイドエッジ(side edge、側縁、辺など)、複数本の周方向サイドエッジ（例えば、互いに対向するかおよび／または互いに連続する複数のサイドエッジ）または周方向エッジの全体(the entire peripheral edge、外周全体、全周、全周縁)に沿って、かつ、それらに対して平行に延びてもよい。あるアプローチにおいては、前記発光パッチが、当該発光カードの周方向エッジの全体に沿って延び、それにより、フレーム状構造（例えば、矩形フレーム）を形成してもよい。この種のいくつかの具体例においては、この出願書類中の他の箇所に記載されるように、前記発光パッチを、前記第１のキャリア層上に提供された１つまたは２以上のアンテナとオーバーラップするようにそれらアンテナに対して相対的に位置決めするために、その発光パッチが、開放された領域(open field、開放部、開口部など)を前記第２のキャリア層上に有し(define、形成し)てもよい。さらに、燐光パッチが、前記発光パッチにオーバーラップする関係で提供されてもよく、また、前記発光パッチの前記形状（例えば、フレーム状構造）と実質的に同じ構造を有してもよい。
【００３２】
いくつかの実施態様においては、前記第１および第２の接触パッドが、それぞれ、長手状の第１および第２の接触レールによって形成されてもよい。したがって、前記発光パッチは、前記第１および第２の接触レールの間に位置決めされることと、それら第１および第２の接触レールとの電気結合を互いに異なる複数の位置において行うこととを目的として構成されてもよい（例えば、前記発光パッチは、多角形、楕円形または他の閉じた形状を有し、かつ、前記第２のキャリア層の中央領域(central field、中央部)内に、その第２のキャリア層の周方向エッジから離れた関係で配置されてもよい）。この種の位置決めは、カード製造時に行われるものとして定義されてもよく、それにより、製造効率を高めるためのカードの基本設計構造を有利に利用しつつ、カードをカスタマイズ化することが容易となる。これに加えるかまたはこれに代えて、前記第１および第２の接触レールのうち互いに対向する複数のエッジ部である複数の対向エッジ部が、第１の寸法の方向において、それぞれ対応する複数の長さを有してもよく、それら長さは、いずれも、前記発光パッチの、前記第１の寸法の方向における最大クロス寸法(maximum cross-dimension、前記発光パッチが前記第１の寸法の方向に横切るか、延びるかまたは占める複数の寸法である複数のクロス寸法のうちの最大値。発光パッチの、第１の寸法に沿った複数の長さのうちの最大値など)より長い。さらに、前記複数の対向エッジ部は、前記発光パッチのうちの複数のエッジ部であって、前記第１および第２の接触レールに隣接するとともにそれら対応するものの、前記第１の寸法の方向における複数の長さより長くてもよく、それにより、前記発光パッチを、前記第１および第２の接触レールに対して相対的に、互いに異なる複数の位置に位置決めする作業が容易となる。
【００３３】
さらに、前記第１および第２の接触レールのうち互いに対向する複数のエッジ部である複数の対向エッジ部が、前記発光パッチのうち、それぞれ対応する長さに沿って前記発光パッチと一致するように延びるかおよび／または前記発光パッチのうち、それぞれ対応する長さに沿って前記発光パッチから等間隔で隔たる関係で延びてもよい。例えば、前記第１および第２の接触レールのうち互いに対向する複数のエッジ部である複数の対向エッジ部が、前記発光パッチのうち、それぞれ対応する長さ(the corresponding lengths thereof)に沿って、前記発光パッチのうち、それぞれ対応するエッジ部に対して実質的に平行である関係で延びてもよい。
【００３４】
あるアプローチにおいては、矩形状のカード本体が提供されてもよく、ここに、前記第１および第２の接触レールの前記複数の対向エッジ部は、カード本体の周方向エッジ(a peripheral edge、長さ方向エッジおよび幅方向エッジを含むなど)に対して平行である関係で延びる。例えば、前記第１および第２の接触レールの前記複数の対向エッジ部は、前記発光カードの長さ方向エッジ(length edge、長さ方向または縦方向に延びるエッジ)または幅方向エッジ(width edge、幅方向または横方向に延びるエッジ)に対して平行に延びてもよく、それにより、前記発光パッチをそれの長さまたは幅に沿って、複数の異なる位置に位置決めする作業が受け入れられる(accommodating、実行可能となる)。
【００３５】
いくつかの実施態様においては、前記第１および第２の接触レールが、それぞれ対応する幅であって実質的に一定であるものを、それぞれ対応する長さに沿って有してもよい。あるアプローチにおいては、前記第１および第２の接触レールが、同一の幅を、それぞれ対応する長さに沿って有してもよい。さらに、前記第１および第２の接触レールは、それぞれ対応する長さであって互いに実質的に等しいものを有してもよい。
【００３６】
いくつかの実施形態においては、前記第１の接触レールの前記エッジ部のうちの第１部分が、前記発光パッチのうち、対応するエッジ部とオーバーラップしてもよく（すなわち、オーバーラップ状態で直に接触する）、また、前記第１の接触レールのうちの第２部分が、前記発光パッチのうち、前記対応するエッジ部を越えて第１の寸法の方向に延びてもよい（例えば、前記発光パッチのうち前記対応するエッジ部の両端部のうちの一方または両方を越えて延びる）。この種のいくつかの実施態様においては、前記第１の接触レールの前記エッジ部の前記第２部分であってオーバーラップを有しないものは、対応する長さを第１の寸法の方向において有してもよく、その長さは、前記第１の接触レールの前記エッジ部の前記第１部分であってオーバーラップを有するものの、前記第１の寸法の方向における長さの少なくとも５０％であるかまたはそれどころか少なくとも２００％である。
【００３７】
本発明について想定されるいくつかの具体例においては、前記発光カードが第１のアンテナを有してもよく、その第１のアンテナは、自身の互いに異なる(offset、食い違う、ずれた、互いに対向するなど)複数の位置において（例えば、当該第１のアンテナの両端部と同じ位置またはそれの近傍で）、前記第１および第２の接触パッドまたはレールのうちの互いに異なる複数のもの(different ones、互いに異なる複数の接触パッドなど)に電気的に結合されるかまたは電気的に結合可能であり、それにより、高周波（radio frequency、無線周波数）電磁波を放射する外部放射源から非接触型信号を受け取り、それにより、前記第１および第２の接触パッドに電力信号を提供する。いくつかの実施態様においては、前記第１のアンテナが、前記第１のキャリア層の前記上向き面に支持状態で相互接続されてもよく、ここに、前記第１のアンテナは、前記第１および第２の接触パッドまたはレールの外周に沿って延びるように配置されてもよい。前記第１のアンテナは、前記発光パッチとの電気結合のために、前記第１および第２の接触パッドまたはレールの間に配置された発光パッチの外周に沿って延びるように配置されることも行われてもよい。
【００３８】
これに代えるかまたはこれに加えて、前記第１のアンテナは、長手状の発光パッチであって、矩形状の発光カードの複数のサイドエッジ(side edges、側辺)のうちの１つまたは複数のものに沿って延びるものの内部に、その発光パッチとオーバーラップしない関係で延びるように配置されてもよい。例えば、前記第１のアンテナは、本明細書の他の箇所に記載されるように、フレーム状の発光パッチによって形成される開放領域(open field、開口部など)内に配置されてもよい。この種のいくつかの配置構成においては、第１および第２の電気接点が、前記第２のキャリア層の前記下向き面上に支持状態で、かつ、前記長手状の発光パッチの、互いに異なるとともに互いにずれる(offset、互いに対向するなど)複数の部分と、前記第１および第２の接触パッドのうちの互いに異なる複数のもの(different ones、互いに異なる複数の接触パッドなど)との間に、それらと電気接触する状態で配置されてもよく、ここに、非導電性の(electrically non-conductive、電気絶縁性の)材料が前記第１および第２の電気接点と前記第１のアンテナとの間に、それらが互いにオーバーラップする複数の領域内に提供されてもよい。
【００３９】
いくつかの実施形態においては、前記発光カードが、マスク(mask、被覆体、遮蔽体など)を有してもよく、そのマスクは、発光パッチの一部を覆うとともに、前記発光パッチが発光すると、当該発光カードの第１面上において可視化される所定の画像(a predetermined image(a desired visual image))を位置決めするとともに形成する。このマスクは、前記所定の画像を形成するために、前記発光パッチによって発光された光のうちの所定複数個の部分の進行および遮断を行うためのパターンを付与され(patterned、模様を付加され)てもよい。
【００４０】
いくつかの具体例においては、前記マスクが、印刷マスク、例えば、前記第１のコア層の内向き面および／または外向き面上に印刷されたマスクを有してもよい。この印刷マスクは、少なくとも１つまたは複数の印刷インク層を有してもよく、ここに、各印刷インク(the prinnted ink、印刷インク層)は、前記所定の画像を生成するために前記発光パッチによって発光された光のうちの所定の複数の部分の通過を阻止するように少なくとも部分的に不透明であるかまたは実質的に不透明である。
【００４１】
あるアプローチにおいては、前記印刷マスクが、前記第１のコア層上に印刷された第１のプリント層のうちの少なくとも第１部分を形成してもよい。したがって、前記第１のプリント層のうちの第２部分が、
印刷された人間可読キャラクタであって可視化されるもの、
印刷されたグラフィクス(graphics、図柄など)であって可視化されるもの、
印刷された機械可読マークであって可視化されるもの、および
前記第１のコア層の内向き面または外向き面のうちの実質的な全体を横切るように延びる印刷されたフラッド層(flood layer、印刷層）
のうちのいずれかまたは２以上のものを有してもよい。
【００４２】
いくつかの実施態様においては、前記第１のプリント層のうちの前記第１部分および前記第２部分が、製造効率をさらに促進するために、連続的な印刷作業の一部として印刷されてもよい。任意選択的に、第２のプリント層が、前記第１のコア層の面であって前記第１のプリント層が印刷される面とは反対側のものの上に印刷されてもよく、ここに、前記第２のプリント層は、
印刷された人間可読キャラクタであって可視化されるもの、
印刷されたグラフィクス(graphics、図柄など)であって可視化されるもの、
印刷された機械可読マークであって可視化されるもの、および
前記第１のコア層の内向き面または外向き面のうちの実質的な全体を横切るように延びる印刷されたフラッド層(flood layer、印刷層）
のうちのいずれかまたは２以上のものを有してもよい。
【００４３】
別のアプローチにおいては、前記マスクが、前記発光パッチによって発光された光のうちの所定の複数の部分の通過を許可し、それにより、前記所定の画像を生成するために、少なくとも部分的に不透明または実質的に不透明である層から複数の部分を除去することによって形成されてもよい。例えば、金属箔層であっていくつかの部分が除去されたものが、前記発光パッチと前記第１のコア層との間に提供されてもよい。
【００４４】
前述したように、燐光パッチが、前記発光パッチが発光すると蛍光を発するように、前記発光パッチとオーバーラップする関係で、例えば、前記発光パッチと前記マスクとの間に位置するように提供されてもよい。その燐光パッチは、前記発光パッチの構成と実質的に同じ構成を有してもよい。あるアプローチにおいては、前記燐光パッチが、前記発光パッチに対向する関係で、前記第２のキャリア層の上向き面に支持状態で相互接続されてもよい。別のアプローチにおいては、前記燐光パッチが、前記発光パッチが前記燐光パッチ上に支持状態で配置された状態で、前記第２のキャリア層の前記下向き面に支持状態で相互接続されてもよい。
【００４５】
本発明について想定されるいくつかの具体例においては、前記カード本体が、さらに、第２のコア層であって、前記第１のキャリア層の前記下向き面、すなわち、前記第２のキャリア層とは反対側の面に相互接続されるもの、および／または金属層（例えば、金属箔層）であって、前記第１のキャリア層の前記下向き面、すなわち、前記第２のキャリア層とは反対側の面に相互接続されるものを有してもよい。この種のいくつかの具体例に関連し、前記第１のコア層および前記第２のコア層および／または金属層が、各層が前記発光カードの周方向エッジに沿ってぐるりと(around、全周に沿って、または全周のうちの一部に沿って)連続的に延びるように、互いに共通の周方向形状(peripheral configuration、外周形状)を有してもよい。
【００４６】
いくつかの配置構成(arrangements)においては、１枚または複数枚のフィルム層が、前記第１のキャリア層の前記下向き面および／または前記第２のキャリア層の前記上向き面の一方または双方に、前記第１のキャリア層および第２のキャリア層に支持状態で相互接続される複数の部品(components、構成要素)（例えば、前記第１および第２の接触パッド、前記発光パッチ、前記任意選択的な第１のアンテナ、前記任意選択的な燐光パッチ、後に参照される任意選択的な第２のアンテナ等）にオーバーラップする状態で相互接続され、それにより、予めラミネートされたインレー(inlay、枠内に部材がはめ込まれることによって形成されるはめ込み体など)を形成してもよい。例えば、透明フィルム層(transparent film layers)が、前記第１のキャリア層の前記下向き面および前記第２のキャリア層の上向き面およびそれらに支持された複数の部品(supported components)の各面に接着によって装着されてそれらの全体を覆い、それにより、予めラミネートされたインレーを提供し、それにより、前記発光カードの１枚または複数枚の追加層（例えば、第２のコア層、金属層、外側保護層、接着層および／または熱硬化性相互接続層等）を用いて組み立てることと、それら追加層との相互接続（例えば、ラミネート加工による）とを容易にする。
【００４７】
前記第１のコア層、前記第２のコア層および前記保護用の外側フィルム層は、ポリマー系材料（例えば、ポリ塩化ビニル、ポリエチレンテレフタレート、ポリエチレンテレフタレートグリコール変性ポリエステル、および／またはポリカーボネート）を含有してもよい。さらに、前記第１および第２のキャリア層は、ポリマー系材料（例えば、ポリエチレンテレフタレートおよび／またはポリカーボネート）を含有してもよい。これに加えて、この出願書類中に記載される前述の種々の複数の層は、ラミネート加工により、前記複数の層のうち互いに隣接するものの間に配置される熱接着性ポリマー系層および／または熱硬化性ポリマー系層と相互接続されてもよい。
【００４８】
いくつかの配置構成においては、前記発光パッチが、実質的にクリアな(clear、透明な)導電層と、中間層と、導電パッドとを有してもよく、前記導電層は、第１の接触パッドまたはレールであってキャリア層と同じ層かまたは別の層の上に提供されるものとの間で電気結合（例えば、直接結合または容量結合）を行うために前記キャリア層上に支持状態で配置されており、前記中間層は、前記導電層上に支持状態で配置される複数の発光ダイオードを有しており、前記導電パッドは、第２の接触パッドまたはレールであって前記キャリア層と同じ層かまたは別の層の上に提供されるものとの間で電気結合（例えば、直接結合または容量結合）を行うために前記中間層上に支持状態で配置される。後者に関し、前記導電パッドは、前記導電層から、それら導電パッドと導電層との間に配置された非導電性材料の層によって電気的に絶縁されてもよい。
【００４９】
この出願書類の開示事項は、さらに、複数枚の発光カードが提供される方法に関するいくつかの具体例およびカードに関する複数の具体例を含み、ここに、それらカードの各々は、
共通の構成を有する(commonly-configured、他のカード本体と共通する構成を有する、前記複数枚の発光カードの間で互いに共通する構成を有する)カード本体であって、
非導電性のキャリア層と、
そのキャリア層を覆うとともにそのキャリア層に相互接続された第１のコア層と
を含み、
その第１のコア層は、少なくとも部分的に光透過性を有しており、
共通の構成を有する(commonly-configured、前記複数枚の発光カードの間で互いに共通する構成または形状を有する)とともに導電性である第１および第２接触パッドまたはレールであって、隙間を隔てて互いに対向する関係で、前記キャリア層に支持状態で相互接続され、それにより、外部電源および搭載電源のうちの一方から電力信号を受け取るものであってもよい。
【００５０】
さらに、前記複数枚の発光カードのうちの第１部分(first portion、第１部分集合、第１グループ)につき、それぞれ対応する発光カードは、
共通の構成を有する(commonly-configured、前記複数枚の発光カードの間で互いに共通する構成または形状を有する、同一の形状を有するなど)第１の発光パッチであって、電力信号を、対応する前記第１および第２の接触パッドにおいて受け取ると発光するために、対応する前記第１および第２の接触パッドと電気的に結合されるように支持状態で配置されたものと、
共通の構成を有する(commonly-configured、前記複数枚の発光カードの間で互いに共通する構成または形状を有する、同一の形状を有するなど)第１のマスクであって、対応する前記第１の発光パッチのうちの少なくとも一部を覆うとともに、対応する前記第１の発光パッチが発光すると当該発光カードの第１面上において可視化される第１の所定の画像を形成するものと
を含んでもよい。
【００５１】
さらに、前記複数枚の発光カードの第２部分(second portion、第２部分集合、第２グループ)につき、それぞれ対応する発光カードは、さらに、
共通の構成を有する(commonly-configured、前記複数枚の発光カードの間で互いに共通する構成または形状を有する、同一の形状を有するなど)第２の発光パッチであって、対応する前記第１および第２の接触パッドすなわちレールにおいて電力信号を受け取ると発光するために、対応する前記第１および第２の接触レールと電気的に結合するように支持状態で配置されたものと、
共通の構成を有する(commonly-configured、前記複数枚の発光カードの間で互いに共通する構成または形状を有する、同一の形状を有するなど)第２のマスクであって、対応する前記第２の発光パッチのうちの少なくとも一部を覆うとともに、対応する前記第２の発光パッチが発光すると当該発光カードの第１面上において可視化される第２の所定の画像を形成するものと
を含んでもよく、
ここに、前記共通の構成を有する第１のマスクおよび前記第１の所定の画像は、それぞれ、前記共通の構成を有する第２のマスクおよび前記第２の所定の画像とは異なるものであってもよい。
【００５２】
いくつかの実施形態においては、前記複数枚の発光カードのうちの前記第１部分の各発光カードにつき、前記共通の構成を有する第１の発光パッチであって対応するものが、対応する第１および第２の接触パッドすなわちレールに対する第１の相対位置であって共通する(common、前記第１部分に属する複数枚の発光カードの間で互いに共通する)ものに配置されてもよい。さらに、前記複数枚の発光カードのうちの前記第２部分の各発光カードにつき、前記共通の構成を有する第２の発光パッチであって対応するものが、対応する第１および第２の接触パッドすなわちレールに対する第２の相対位置であって共通する(common、前記第２部分に属する複数枚の発光カードの間で互いに共通する)ものに配置されてもよく、ここに、前記第１の相対位置と前記第２の相対位置とは、互いに異なる。
【００５３】
いくつかの実施態様においては、前記共通の構成を有する第１の発光パッチと、前記共通の構成を有する第２の発光パッチとが、互いに異なる構成(configurations、形状など)を有してもよい。したがって、前記共通の構成を有する第１の発光パッチおよび前記共通の構成を有する第２の発光パッチは、実質的に互いに共通する電気的負荷(electrical loads、電気抵抗、インダクタンス、静電容量など)を有するように提供されてもよい（例えば、互いに共通する面積および互いに共通する材料を有することにより）。
【００５４】
いくつかの具体例においては、前記複数枚の発光カードのうちの前記第１部分の各発光カードにつき、互いに共通する第１の印刷物(printing、印刷結果)（例えば、同じグラフィクスおよび／または同じ人間可読印刷物）が、対応する第１のコア層上に提供されてもよく、また、前記複数枚の発光カードのうちの前記第２部分の各発光カードにつき、互いに共通する第２の印刷物(printing、印刷結果)（例えば、同じグラフィクスおよび／または同じ人間可読印刷物）が、対応する第１のコア層上に提供されてもよく、ここに、前記第１の共通の印刷物と前記第２の共通の印刷物とは、互いに異なる。
【００５５】
この種の複数の具体例であって方法およびマルチプルカード(multiple card、複数枚のカード、重複カード、多重カードなど)に関するものにおいては、前記複数枚のカードであって前記複数枚のカードのうちの前記第１部分を含むものが、第１の別の共通（common、当該複数枚のカードに共通の）特徴部であってカードに関するものを有してもよく、その第１の別の共通カード特徴部は、可視化される口座用インディシア (indicia、識別表示、記号、特定の意味を有する視覚的情報、表示、指示、証印など)および他のパーソナライゼーション(personalization、当該カードを所有者のためにカスタマイズする工程、個人化、個性化、ユーザの個人固有情報など)用データを除き、前記発光カードに関してこの出願書類に記載されているいくつかの具体例のうちいずれのものに関しても記載されているものであり、また、前記複数枚のカードであって前記複数枚のカードのうちの前記第２部分を含むものが、第２の別の共通（common、当該複数枚のカードに共通の）特徴部であってカードに関するものを有してもよく、その第２の別の共通カード特徴部は、可視化される口座用インディシア(indicia、識別表示、記号、特定の意味を有する視覚的情報、表示、指示、証印など)および他のパーソナライゼーション(personalization、当該カードを所有者のためにカスタマイズする工程、ユーザの個人固有情報など)用データを除き、前記発光カードに関してこの出願書類に記載されているいくつかの具体例のうちいずれのものに関しても記載されているものである。理解されるかもしれないように、この種の第１の別の共通カード特徴部および第２の別の共通カード特徴部のうちの１つまたは２以上のものは、互いに異なってもよい。
【００５６】
本発明の多くの他の特徴および効果が、当業者にとり、後述の実施形態についての詳細な説明を考慮すれば明らかになる。
【図面の簡単な説明】
【００５７】
【図１】発光カードの一実施形態の分解組立図である。
【図２Ａ】前記発光カードに関する図１の実施形態の前方斜視図である。
【図２Ｂ】前記発光カードに関する図１の実施形態の後方斜視図である。
【図３】前記発光カードに関する図１の実施形態のうちのキャリア層およびそれに支持されている複数の部品の底面図である。
【図４Ａ】前記発光カードに関する図１の実施形態のうちの前記キャリア層およびそれに支持されている複数の部品の概略的な側面断面図である。
【図４Ｂ】発光カードに関する別の実施形態のうちのキャリア層およびそれに支持されている複数の部品の概略的な側面断面図である。
【図５】発光カードに関する別の実施形態のうちのキャリア層およびそれに支持されている複数の部品の底面図である。
【図６】発光カードに関する別の実施形態のうちのキャリア層およびそれに支持されている複数の部品の底面図である。
【図７】発光カードに関する別の実施形態の分解組立図である。
【図８】発光カードに関する別の実施形態の分解組立図である。
【図９】発光カードに関する別の実施形態の分解組立図である。
【発明を実施するための形態】
【００５８】
以下の説明は、本発明を、この出願書類に開示されるいくつかの形態に限定するという意図を有しない。したがって、いくつかの変形およびいくつかの変更であって、本発明に関連する技術についての後述の教示、技能および知識に相応するものは、本発明の範囲内にある。この出願書類に記載されるいくつかの実施形態は、さらに、本発明を実施するものとしてよく理解されるいくつかの態様を説明するという意図を有するとともに、当業者が本発明を、この種のまたは他のいくつかの実施形態で、および、本発明の具体的ないくつかの用途または使用に必要な種々の変形を伴って利用することを可能にするという意図を有する。
【００５９】
図１は、発光カード１の一実施形態の分解組立図であり、その発光カード１は、非導電性キャリア層１０と、そのキャリア層１０の上向き面を被覆するとともにそれと相互接続された第１のコア層２０とを有する。いくつかの実施態様においては、第１のコア層２０が、少なくとも部分的に光透過性（例えば、透明もしくは半透明）または不透明であってもよい。発光カード１は、さらに、導電性の第１および第２の接触パッド４０，４２を有しており、それら接触パッド４０，４２は、図示される実施形態において、それぞれ対応するレールによって形成されるとともに、電力信号を受け取るために、隙間を隔てて互いに対向する関係を有するように、キャリア層１０に支持状態で相互接続されている。さらに、発光カード１は、発光パッチ５０を有し、その発光パッチ５０は、第１の接触レール４０と第２の接触レール４２との間に電流通路を提供するために、キャリア層１０に支持状態で相互接続されており、ここに、その発光パッチ５０は、第１および第２の接触レール４０，４２において電力信号を受け取ると発光する。この種の発光は、発光カード１の第１面上にある第１のコア層２０を透過するように(through、貫通するように)、および／または発光カード１の周方向エッジを透過するように(through、貫通するように)実現されてもよい。この発光は、審美的目的および／または機能的目的のために実現されてもよい。例えば、この発光は、視覚的表示を発光カード１に意図された機能的使用に関連付けて実現してもよいか、および／または目標の視覚的画像を提供するかもしくは強調してもよい。
【００６０】
図示するように、発光カード１は、さらに、マスク６０を有してもよく、そのマスク６０は、発光パッチ５０のうちの少なくとも一部を被覆するとともに、発光パッチ５０が発光すると発光カード１の第１面上に所定の画像６２を形成する。さらに後述するように、マスク６０は、所定の画像６２を提供するために、発光された光のうち、互いに異なる複数の部分の通過(passage、透過)の許可とその通過の阻止とを行う。
【００６１】
図１に示す実施形態においては、第１のアンテナ７０も発光カード１に内蔵されてもよく、その目的は、高周波(radio-frequency、無線周波数) 電磁波を放射する外部放射源(source、発信源)から非接触型信号を受け取ることと、前記電力信号(the power signal、非接触型信号など)を第１および第２の接触レール４０，４２において提供することとにある。この点に関し、第１のアンテナ７０は、連続した長さを有する金属を含んでもよく、その金属は、１周または２周以上のループを形成するとともに、互いに異なる(offset、ずれた、互いに対向するなど)複数の位置（例えば、互いに対向する複数の端部(opposing ends、両端部など）を有しており、それら複数の位置は、第１および第２の接触レール４０，４２のうちの互いに異なる複数のもの(different ones、互いに異なる複数の接触レールなど)に相互接続される。図示するように、第１のアンテナ７０は、さらに、キャリア層１０に支持状態で相互接続されてもよく、また、第１および第２の接触レール４０，４２ならびに発光パッチ５０の外周に沿って(around、ぐるりと１周するように、など)延びるように配置されてもよい。
【００６２】
この点に関し、第１および第２の接触レール４０，４２、発光パッチ５０および第１のアンテナ７０は、キャリア層１０のうち、共通する(common、それら部品に共通する)１つの面上に配置されるとともにその面に支持状態で相互接続されてもよい。一例として、また、図１に示すように、第１および第２の接触レール４０，４２、発光パッチ５０および第１のアンテナ７０は、キャリア層１０の下向きの第１面上に配置されるとともにそれに支持状態で相互接続されてもよく、このとき、第１のアンテナ７０と第１および第２のレール４０，４２との間のいくつかの金属製のクロス接続(cross-connection、別の要素から立体交差によって退避する姿勢で、複数の回路または素子を相互に電気的に接続することなど)ブリッジ(cross-connection bridges、クロス接続線、クロス接続部、クロス接続用架橋部など)がキャリア層１０上に提供されるとともにそのキャリア層１０を通過するように(through、内部を通過するように、貫通するように)提供される。他のいくつかの実施形態においては、第１のアンテナ７０が、キャリア層１０の上向きの第２面であって前記第１面とは反対側にあるものの上に配置されてもよく、このとき、第１のアンテナ７０と第１および第２のレール４０，４２との間のいくつかの金属製のクロス接続ブリッジがキャリア層１０上に提供されるとともにそのキャリア層１０を通過するように(through、内部を通過するように、貫通するように)提供される。一例として、また、図１に示すように、金属ブリッジ７２（仮想線で示す）がキャリア層１０上に配置されるとともにそれに支持状態で相互接続されてもよく、ここに、いくつかの金属製のクロス接続部７２は、キャリア層１０を通過するように(through、内部を通過するように、貫通するように)、かつ、第１のアンテナ７０の一端部と第１の接触レール４０との間に提供されてもよい。
【００６３】
いくつかの配置構成においては、第１および第２の接触レール４０，４２、第１のアンテナ７０およびブリッジ７２が、キャリア層１０上に支持状態で配置される１枚または複数枚の金属層によって形成されてもよい（例えば、めっき処理およびエッチング処理により）。他のいくつかの配置構成においては、第１および第２の接触レール４０，４２、第１のアンテナ７０およびブリッジ７２が、金属ワイヤであって、キャリア層１０上に支持状態で配置されるとともにそのキャリア層１０内に部分的に埋め込まれるものによって形成されてもよい。
【００６４】
いくつかの実施態様においては、第１および第２の接触レール４０，４２および発光パッチ５０が、製造時、発光パッチ５０を、第１および第２の接触レール４０，４２に対して相対的な複数の異なる位置のうちのいずれかに位置決めする作業を容易にするために提供されてもよく、ここに、発光パッチ５０は、前記複数の異なる位置のうちのいずれかにおいて発光が行われるように機能する。この点に関し、第１および第２の接触レール４０，４２のうち互いに対向する複数のエッジ部である複数の対向エッジ部(opposing edge portions、複数の対向辺、対辺)が、第１の寸法の方向において、それぞれ対応する長さを有してもよく、それら長さは、いずれも、前記発光パッチ５０の、前記第１の寸法の方向における最大クロス寸法(maximum cross-dimension、発光パッチ５０が前記第１の寸法の方向に横切るか、延びるかまたは占める複数の寸法である複数のクロス寸法のうちの最大値。発光パッチ５０の、前記第１の寸法の方向に沿った複数の長さのうちの最大値など)より長い。これに加えるかまたはこれに代えて、第１および第２の接触レール４０，４２の前記複数の対向エッジ部が、第１の寸法の方向において、それぞれ対応する長さを有してもよく、それら長さは、いずれも、図１に示すように、発光パッチ５０のうちの複数のエッジ部(edge portions、辺)であって、第１および第２の接触レール４０，４２に隣接するとともにそれらに対応するものの、前記第１の寸法の方向における複数の長さより長い。
【００６５】
さらに、第１および第２の接触レール４０，４２の前記複数の対向エッジ部は、発光パッチ５０のうち、それぞれ対応する長さに沿って、発光パッチ５０と一致するように(coincidentally along the corresponding lengths thereof、発光パッチ５０のうち、それぞれ対応する長さに沿って発光パッチ５０のうち、それぞれ対応するエッジ部と一致するかまたはそれに突き当たるように)延びるかおよび／または発光パッチ５０のうち、それぞれ対応する長さに沿って発光パッチ５０から等間隔で隔たる関係で(in equispaced relation along the corresponding lengths thereof、発光パッチ５０のうち、それぞれ対応する長さに沿って、発光パッチ５０のうち、それぞれ対応するエッジ部から等間隔で隔たる関係で)延びてもよい。例えば、図１に示す実施形態においては、第１および第２の接触レール４０，４２が、それぞれ互いに実質的に平行であるとともに、発光カード１の周方向エッジに対して実質的に平行である関係で延びてもよい。さらに、第１および第２の接触レール４０，４２は、それぞれ対応する幅であって実質的に一定であるものを、それぞれ対応する長さに沿って有してもよい。
【００６６】
図１に示すように、第１の接触レール４０の前記エッジ部のうちの第１部分が、発光パッチ５０のうち、対応するエッジ部とオーバーラップしもよく、ここに、第１の接触レール４０のうちの第２部分が、発光パッチ５０のうち、対応する前記エッジ部を前述の第１の寸法の方向において越えて延びる（例えば、前記第２部分が、前記第１部分であってオーバーラップを有するものを前記第１の寸法の方向に越えるように、一方向または双方向に延びてもよい）。製造時、発光パッチ５０を互いに異なる多数の位置に、第１および第２の接触レール４０，４２に対して相対的に位置決めする作業を容易にするために、前記第２部分であってオーバーラップを有しないものは、対応する全長を前記第１の寸法の方向において有してもよく、その全長は、前記第１部分であってオーバーラップを有するものの、前記第１の寸法の方向における長さの少なくとも５０％であり、また、いくつかの実施態様においては、少なくとも２００％である。
【００６７】
発光パッチ５０は、互いに異なる複数の形状をとってもよく、それら形状としては、多角形形状（例えば、後に図１，図７および図９に関連して図示されるとともに文章によって説明される矩形形状）、または楕円形形状（例えば、後に図６に関連して図示されるとともに文章によって説明される円形形状）、または長手形状（例えば、後に図８に関連して図示されるとともに文章によって説明される矩形状のフレーム状形状）がある。
【００６８】
本発明について想定される少なくともいくつかの用途において、複数の発光カード１が、それぞれ対応する複数の設計構造であって互いに異なるものを有するものとして提供され、それら用途においては、それぞれ対応する複数の発光パッチ５０であってそれぞれの構成態様(configurations、形状など)を有するものを採用することが望ましいかもしれず、それら構成態様は、互いに実質的に共通する電力信号を受け取ると、互いに実質的に共通する電気的負荷を示すものである。この点に関し、いくつかの実施態様においては、いくつかの発光パッチ５０を形成するために用いられる１または複数の材料が、前記複数の発光カード１のそれぞれについて互いに実質的に同じでもあってもよく、それにより、発光時における単位面積当たりの負荷(load、電気的負荷)が互いに実質的に共通する。さらに、複数の発光パッチ５０は、互いに実質的に共通する面積を有するものであってもよい。この種のアプローチは、いくつかの用途において特に有利であり、それら用途においては、複数枚の発光カード１であってそれぞれ対応する複数の構成態様(configurations、形状など)であって互いに異なるものを有するものが、高周波電磁波を放射する複数の外部放射源と共に使用されることが予定され、それら外部放射源は、同一かまたは実質的に同一である周波数でそれぞれの非接触型電力信号を提供する（例えば、非接触型トランザクションカードリーダであって、複数の非接触型トランザクションカードに対する送受信を約１３．５６Ｍｈｚの周波数で行うために提供されるもの）。
【００６９】
理解されるかもしれないように、前述のマスク６０は、所定のパターン(pattern、模様など)を有してもよく、そのパターンは、所定の画像６２を形成するために、発光パッチ５０によって発光された光のうちの所定の複数の部分の通過を阻止することとそれを許可することとを行う。例えば、マスク６０は、光がパターン・エリアを他の場所より高い程度で透過することを許可するように提供されてもよく、そのパターン・エリアは、いくつかの人間可読のキャラクタおよび他のいくつかの形状に合致する形状を有し、それらキャラクタおよび他の形状は、特定の顧客によって選択される特定のロゴ、名前、キャラクタ(character、登場人物など)、シーン（scene、風景など）または他の画像に合致する。
【００７０】
図１に示すように、マスク６０は、製造時に発光パッチ５０が配置されるかもしれない複数の位置のうちのいずれかを被覆するように対応する関係で、かつ、発光パッチ５０とそれを被覆する第１のコア層２０との間に配置されてもよい。あるアプローチにおいては、マスク６０が、第１のコア層２０の内向き面上に提供されてもよい任意選択的なプリント層６４の一部として形成されてもよい。例えば、プリント層６４は、不透明なまたは実質的に不透明なインク層（例えば、任意の目標の色を有するインク）を有してもよく、そのインク層は、第１のコア層２０の内向き面のうちの少なくとも所定の部分を横切るように印刷され、それにより、当該インク層は、マスク６０の周りをぐるりと延びてマスク６０の前記所定のパターンを形成し、それにより、前記所定のパターンを光が透過することが可能となる。この点に関し、プリント層６４は、ＩＳＯ／ＩＥＣ規格７８１０（身分証明書カードの４種類の形状（サイズ、幅など）を定めた国際規格）の視覚的不透明度要求事項に準拠するように提供されてもよい。あるアプローチにおいては、プリント層６４が、マスク６０の前記所定のパターンを除き、第１のコア層２０の内向き面または外向き面の全体を横切るように延びてもよい。別のアプローチにおいては、マスク６０が、発光パッチ５０を被覆する関係となるように、キャリア層１０に支持状態で相互接続されてもよい。
【００７１】
種々の実施態様においては、発光カード１が、１または２以上の追加的な特徴部を有してもよい。例えば、任意選択的な燐光パッチ８０が、キャリア層１０に支持状態で、かつ、製造時に発光パッチ５０が配置されるかもしれない複数の位置のいずれかを被覆するように対応する関係で、下から支える発光パッチ５０と上から覆うマスク６０との間に配置されてもよい。この種のいくつかの実施態様においては、燐光パッチ８０が、発光パッチ５０と実質的に同じ形状を有してもよい。
【００７２】
あるアプローチにおいては、燐光パッチ８０が、燐光材料を含む被膜(a coating、コーティング)によって形成されてもよく、その被膜は、キャリア層１０に支持状態で、かつ、発光パッチ５０を被覆する関係を有するように相互接続される。一例として、また、図１に示すように、燐光パッチ８０が、キャリア層１０の上向きの前記第２面上に支持状態で、かつ、キャリア層１０の下向きの前記第１面上に配置された発光パッチ５０とオーバーラップする関係を有するように配置されてもよい。燐光パッチ８０は、発光パッチ５０を構成するいくつかのダイオードの可視青色トーン発光光を可視白色トーン発光光に効果的に変換するために提供されてもよく、それにより、発光カード１の審美的特徴部および／または機能的特徴部がさらに強化される。
【００７３】
別の任意選択的な特徴部として、発光カード１は、半透明層８２を有してもよく、その半透明層８２は、発光パッチ５０を覆う関係となるように、かつ、発光パッチ５０とそれを被覆するマスク６０との間に配置されるとともに、少なくともある部分を、発光カード１の周方向エッジを覆う関係となるように有する。したがって、発光パッチ５０によって発光された光の一部が、半透明層８２内で内部反射され、それにより、発光カード１の周方向エッジに導かれ、それにより、前記周方向エッジが照らされ(for illumination thereof、周方向エッジが発光して)てもよい。あるアプローチにおいては、半透明層８２が、シート状層を有してもよく、そのシート状層は、半透明なポリマー系材料（例えば、アクリル系ポリマー、ポリカーボネートポリマー等を含む材料）を含有するとともに、発光カード１の周方向エッジの全周をぐるりと延びる周方向エッジまで延びる。いくつかの実施形態においては、半透明なポリマー系材料が、特定の用途のために透明であっても有色であってもよい蛍光顔料または染料をも含有するものとして用いられてもよい。
【００７４】
別の任意選択的な特徴部として、発光カード１は、１枚または複数枚のフィルム層（図示しない）を有してもよく、そのフィルム層は、キャリア層１０の両面のうちの一方または双方に、第１および第２の接触レール４０，４２、発光パッチ５０、第１のアンテナ７０および／または燐光パッチ８０（存在する場合）とオーバーラップする関係となるように相互接続され、それにより、予めラミネートされたインレーを形成する。例えば、別個のフィルム層がキャリア層１０の各面の全体に接着によって装着されてそれを被覆してもよく、それにより、予め結合された(pre-connected、いくつかの部品が予め接合された、事前組立て型の)組立体が生成される。前記１枚または複数枚のフィルム層は、発光パッチ５０によって発光された光が当該フィルム層を透過することを許可にするために透明であってもよい。さらに、印刷物(printing、印刷結果)が、前記１枚または複数枚のフィルム層上に提供されてもよい。例えば、印刷マスク６０が、発光パッチ５０とオーバーラップする関係となるように提供されてもよい（例えば、この出願書類中に記載されるプリント層６４に類似する手法でプリント層の一部として印刷される）。前記１枚または複数枚のフィルム層は、ポリマー系材料を含有してもよい。
【００７５】
本発明について想定されるいくつかの実施態様においては、発光カード１のうちのカード本体が、さらに、キャリア層１０の下向き面上に（例えば、第１のコア層２０とは反対側の面に）配置された１つまたは複数の追加層を有してもよい。一例として、また、図１に示すように、任意選択的な第２のコア層３０がキャリア層１０の下向き面に相互接続されてもよい。後にさらに説明されるように、印刷物(printing、印刷結果)が、第１のコア層２０および第２のコア層３０の一方または双方の上に提供されてもよく、ここに、この種の印刷物(printing、印刷結果)は、発光カード１の第１面および／または第２面から視認される。したがって、保護用の１枚または複数枚の透明外側フィルム層が、第１のコア層２０および第２のコア層３０（存在する場合）のそれぞれの外向き面上に提供されてもよい。いくつかの実施態様においては、前記１枚または複数枚の外側フィルム層の一方または双方が、後にこの出願書類において説明されるように、パーソナライゼーション用データの提供を容易にするために、レーザ彫刻可能であってもよい。
【００７６】
第１のコア層２０（例えば、厚さが約０．００６−約０．０１インチ）、第２のコア層３０（例えば、厚さが約０．００６−約０．０１インチ）、および保護用のいくつかの外側フィルム層は、ポリマー系材料（例えば、ポリ塩化ビニル、ポリエチレンテレフタレート、ポリエチレンテレフタレートグリコール変性ポリエステルおよび／またはポリカーボネート）を含有してもよい。さらに、キャリア層１０（例えば、厚さが約０．００６−約０．０１２インチ）は、ポリマー系材料（例えば、ポリエチレンテレフタレートおよび／またはポリカーボネート）を含有してもよい。さらに、この出願書類中に記載される前述の種々の複数の層は、ラミネート加工により、前記複数の層のうち互いに隣接するものの間に配置された熱接着性ポリマー系層または熱硬化性ポリマー系層と相互接続されてもよい。
【００７７】
発光カード１は、様々な形態(forms、フォーム)で提供されてもよい。例えば、発光カード１は、コレクタカード、身分証明カード、アクセスカード、ロイヤリティカード、会員カード、交通カードまたはトランザクションカードとして提供されてもよい。後者に関し、また、図１，図２Ａおよび図２Ｂに示すように、発光カード１は、トランザクションカードとして使用されるための追加的ないくつかの特徴部を備えてもよい。
【００７８】
特に、また、図２Ｂに示すように、発光カード１のカード本体は、ＩＳＯ／ＩＥＣ規格７８１０に準拠する長さＬ，幅Ｗおよび厚さを有するカード形状(configuration、構成)を有してもよい。この点に関し、第１のコア層２０、第２のコア層３０（存在する場合）および前記１枚または複数枚の外側フィルム層（存在する場合）は、それぞれ、互いに共通する長さおよび幅であってＩＳＯ／ＩＥＣ規格７８１０に準拠するものを有してもよく、そして、それにより、この種の複数の層を、相互接続された(interconnected、複数の層が相互に結合された)組立体となるようにラミネート加工することが実現される。さらに、また、図１に示すように、キャリア層１０と、それぞれ任意選択的な半透明層８２およびいくつかの予めラミネートされたインレーフィルム層は、それぞれ、互いに同じ長さおよび幅であってＩＳＯ／ＩＥＣ規格７８１０に準拠するものを有してもよく、また、それにより、この種の複数の層を、相互接続された(interconnected、複数の層が相互に結合された)組立体となるようにラミネート加工することが実現される。
【００７９】
さらに、図１，図２Ａおよび図２Ｂに示すトランザクションカード形態においては、発光カード１が、磁気ストライプカードリーダおよび／または接触型チップカードリーダおよび／または非接触型チップカードリーダでの使用に対応するための多くの特徴部を有してもよい。特に、また、図１に示すように、集積回路（ＩＣ）チップモジュール９０（例えば、少なくともＩＣチップを含む）および第２のアンテナ７６が、非接触型チップカードリーダに対する非接触型信号の送受信を行うように構成されてもよく、その非接触型信号は、例えば、電力／データ信号を第２のアンテナ７６を介してＩＣチップモジュール９０に提供するとともに、電力信号を第１のアンテナ７０を介して第１および第２の接触レール４０，４２に提供するいくつかの高周波放射波信号である。理解されるかもしれないように、この種のいくつかの非接触型信号は、前記非接触チップカードリーダとＩＣチップモジュール９０との間のデータ伝送（例えば、発光カード１を利用した決済トランザクションの完了に付随するデータ伝送）のために提供されてもよい。この点に関し、ＩＣチップモジュール９０および第２のアンテナ７６は、ＩＳＯ／ＩＥＣ規格１４４４３に準拠して動作するように構成されてもよい。
【００８０】
図１に示す実施形態においては、第２のアンテナ７６が、連続する長さを有する金属を有してもよく、その金属は、キャリア層１０に支持状態で相互接続されるとともに、１周または複数周の外側ループ７６ａを形成する。あるアプローチにおいては、外側ループ７６ａが、キャリア層１０の前記第１面上において、第１のアンテナ７０、第１および第２の接触レール４０，４２および発光パッチ５０の外周をぐるりと延びるように配置されてもよく、例えば、１周または複数周の外側ループ７６ａは、キャリア層１０の周方向エッジに沿ってぐるりと延びてもよい。他のいくつかの実施態様においては、第２のアンテナ７６が、上記と同様にして、キャリア層１０の前記第２面上に配置されてそれに支持状態で相互接続されてもよい。
【００８１】
いくつかの配置構成においては、第２のアンテナ７６が、キャリア層１０上に支持状態で配置される金属層によって形成されてもよい（例えば、めっき処理およびエッチング処理により）。他のいくつかの配置構成においては、第２のアンテナ７６が、金属ワイヤであって、キャリア層１０上に支持状態で配置されるとともにそのキャリア層１０内に部分的に埋め込まれるものによって形成されてもよい。
【００８２】
種々のアプローチを、第２のアンテナ７６とＩＣチップモジュール９０との間の電気結合を実現するために利用してもよい。例えば、いくつかのアプローチにおいては、ＩＣチップモジュール９０が、発光カード１内に埋め込まれるとともに、第２のアンテナ７６に直接、相互接続されてもよい（例えば、１周または複数周の外側ループ７６ａの両端部が、ＩＣチップモジュール９０のＩＣチップ上に設けられた複数の接点のうちの互いに異なる複数のものに電気的に相互接続されてもよい）。
【００８３】
図１および図２Ａに示すアプローチにおいては、発光カード１が、ポケット(pocket、凹み、凹部、凹陥部など)２１を有してもよく、そのポケット２１は、発光カード１の第１面の内部まで延びるとともに、第２のアンテナ７６と電気結合するためにＩＣチップモジュール９０を収容するように構成されている。いくつかの実施態様においては、ＩＣチップモジュール９０が、非導電性の基材と、その基材の内向き面に支持状態で相互接続されたＩＣチップと、複数の接触パッドであって、前記基材の外向き面に支持状態で相互接続されるとともに、前記基材を介して前記ＩＣチップの複数の接点のうちの互いに異なる複数のものに電気的に相互接続されるものとを有してもよい。後者に関し、前記複数の接触パッドは、接触型チップカードリーダに対する接触型信号の送受信を行うように構成されてもよく、その接触型信号は、例えば、電力をＩＣチップモジュール９０に提供するとともに、前記接触型チップカードリーダとＩＣチップモジュール９０との間のデータ伝送（例えば、発光カード１を利用した決済トランザクションの完了に付随するデータ伝送）のために提供されてもよい。この点に関し、ＩＣチップモジュール９０および前記複数の接触パッドは、ＩＳＯ／ＩＥＣ規格７８１６に準拠して動作するように構成されてもよい。理解されるかもしれないように、この種のいくつかの実施態様においては、発光カード１が、デュアルインターフェース(dual interface、二重インターフェース、二重化された信号インターフェース、接触型インターフェースと非接触型インターフェースとの双方を行うもの)型トランザクションカード(transaction card、商取引用カードなど)として用いられてもよい。
【００８４】
いくつかの配置構成においては、ＩＣチップモジュール９０が、さらに、結合用(coupling)アンテナを有してもよく、その結合用アンテナは、前記基材の内向き面に支持状態で相互接続されるとともに、ＩＣチップモジュール９０の前記ＩＣチップに電気的に相互接続される。例えば、結合用アンテナは、連続する長さを有する金属(a continuous length of metal、１本の有限長の金属、１本の金属ワイヤ)を有してもよく、その金属は、１周または複数周のループを形成し、そのループは、前記ＩＣチップの周囲に沿って延びるとともに、前記ＩＣチップのうちの複数の接点のうちの互いに異なる複数のものに電気的に相互接続される。したがって、第２のアンテナ７６は、ＩＣチップモジュール９０の前記結合用アンテナと誘導結合するように構成されてもよい。より具体的には、また、図１に示すように、第２のアンテナ７６は、１周または複数周の内側ループ７６ｂを有してもよく、ここに、１周または複数周の外側ループ７６ａおよび１周または複数周の内側ループ７６ｂは、上述の、連続する長さを有する金属によって形成される。１周または複数周の内側ループ７６ｂは、ＩＣチップモジュール９０がポケット２１内において動かないように固定されるとき、１周または複数周の内側ループ７６ｂとＩＣチップモジュール９０の前記結合用アンテナとが、誘導結合のために、隙間を隔てて互いに対向する関係を有するように配置されるように、配置されてもよい。図１に示すように、金属ブリッジ７８（仮想線で示す）が、キャリア層１０の前記第２面であって上向きのものに支持状態で相互接続されてもよく、ここに、いくつかの金属製のクロス接続部(cross-connections、別の要素から立体交差によって退避する姿勢で、複数の回路または素子を相互に電気的に接続する部分など)が、１周または複数周の外側ループ７６ａの一端部と１周または複数周の内側ループ７６ｂの一端部とを電気的に相互接続するために、キャリア層１０の内部を通過するように構成されてもよい。
【００８５】
別のアプローチにおいては、ＩＣチップモジュール９０が、第２のアンテナ７６を有することなく、第１のアンテナ７０と直接結合または誘導結合するように構成されてもよい。この種のいくつかの配置構成においては、第１のアンテナ７０が、非接触型カードリーダから非接触型ＲＦ信号(RF signals、無線信号)を受信するために利用されてもよく、その目的は、電力信号を第１および第２の接触レール４０，４２において提供することと、電力／データ信号をＩＣチップモジュール９０の前記ＩＣチップに提供することとにある。
【００８６】
いくつかの配置構成においては、第２のアンテナ７６、第１および第２の接触レール４０，４２、第１のアンテナ７０およびブリッジ７２（必要な場合）が、キャリア層１０上に支持状態で配置される１層または複数層の金属層によって形成されてもよい（例えば、めっきおよびエッチング作業により）。他のいくつかの配置構成においては、第２のアンテナ７６、第１および第２の接触レール４０，４２、アンテナ７０およびブリッジ７２（必要である場合）が、金属ワイヤであって、キャリア層１０上に支持状態で配置されるとともにそのキャリア層１０内に部分的に埋め込まれるものによって形成されてもよい。
【００８７】
ここで、図２Ａおよび図２Ｂが参照され、それら図は、任意選択的な印刷物(printing、印刷結果)２２であって、発光カード１の第１面から視認されるものと、任意選択的な印刷物(printing)３２であって、発光カード１の第２面から視認されるものとを示している。印刷物２２および／または３２は、１または２以上の所定のプリント領域を有してもよく、それらプリント領域は、プリント層６４に関して記載されるように、それぞれ対応する複数のグラフィクス（例えば、絵的シーン、ロゴ、写真等）、それぞれ対応する複数の人間可読キャラクタ(characters、文字、数字、記号等)（例えば、数字、文字、および／またはそれらの表現物）、および／または、それぞれ対応する１または複数の機械可読マーキング（例えば、バーコード、多次元マトリクスコード等）を有してもよい。図示するように、印刷物２２は、マスク６０に対して位置的にずれた関係で提供されてもよい。この点に関し、印刷物２２のうちのいくつかまたは全ては、プリント層６４の一部として提供されてもよく、ここに、プリント層６４は、複数の印刷ステーションを用いた連続的な印刷処理において形成されてもよい。
【００８８】
印刷物２２は、第１のコア層２０であって透明であるものの外向き面上に順方向印刷(forward-printed、通常印刷、非反転印刷)されてもよく（例えば、第１のコア層２０が透明、半透明または不透明であるか否かを問わず）、または、第１のコア層１０であって透明であるものの内向き面上に反転印刷(reverse printed)されてもよい。同様に、印刷物３２は、第２のコア層２０の外向き面上に順方向印刷(forward-printed、通常印刷、非反転印刷)されてもよく（例えば、第２のコア層３０が透明、半透明または不透明であるか否かを問わず）、または、第２のコア層３０が透明である場合には、第２のコア層３０の内向き面上に反転印刷(reverse printed)されてもよい。
【００８９】
図２Ａに示すように、発光カード１は、さらに、パーソナライゼーション用データ２４ａ，２４ｂを有してもよく、それらパーソナライゼーション用データ２４ａ，２４ｂは、発光カード１に一意に関連付けられる口座もしくは記録（例えば、カード発行元決済機関によるかまたはその機関のために管理される決済口座、カード発行元加盟店機関によって管理される会員口座等）を表すかまたはそれに対応するインディシア(indicia、識別表示、記号、特定の意味を有する視覚的情報、表示、指示、証印など)であって可視化されるものを有する。いくつかの実施態様においては、可視化されるパーソナライゼーション用インディシア２４ａおよび／または２４ｂは、当該インディシアを形成するために発光カード１の前記カード本体にエンボス加工することによって提供されてもよい。他のいくつかの実施態様においては、可視化されるパーソナライゼーション用インディシア２４ａおよび／または２４ｂが、第１のコア層２０および／もしくは第２のコア層３０のうちの一方または両方の上に印刷することによって形成されてもよい。さらに別のいくつかの実施態様においては、可視化されるパーソナライゼーション用インディシア２４ａおよび／または２４ｂが、発光カード１の外向き面に形成されてもよい（例えば、レーザ彫刻、インクジェット印刷および熱印刷のうちの少なくとも１つにより）。
【００９０】
可視化されるパーソナライゼーション用インディシア２４ａは、対応する口座（例えば口座番号）を示す人間可読キャラクタを有してもよい。さらに、可視化されるパーソナライゼーション用インディシア２４ｂは、特定の口座に対応する別の人間可読データを有してもよく、その別の人間可読データとしては、対応するカード使用期限、対応する口座サービスグレードレベル、および／または対応する顧客別データ（例えば、顧客氏名、顧客期間、顧客データ等）がある。発光カード１についての一実施態様であって図２Ａおよび図２Ｂに示すものにおいては、可視化されるインディシア２４ａ，２４ｂが、トランザクションカード１(the transaction card 1、発光カード１、取引用カード１)の第１面から視認されるように構成される。他のいくつかの実施態様においては、可視化されるインディシア２４ａおよび／または２４ｂが、それに加えてかまたはそれに代えて、トランザクションカード１の前記第２面から視認されるように構成されてもよい。理解されるかもしれないように、可視化されるインディシア２４ａ，２４ｂは、カード・パーソナライゼーション処理の一部として、発光カード１上にパーソナライゼーション用データとして提供されてもよい。
【００９１】
図２Ｂに示すように、発光カード１は、さらに、発光カード１の前記第２面に装着される磁気ストライプ２６を有してもよい。その磁気ストライプ２６は、カード・パーソナライゼーション時に、発光カード１に固有のパーソナライゼーション用データ（例えば、可視化されるインディシア２４ａによって表示される口座に対応するデータ）を用いて(with、に関して)エンコードされ(encoded、符号化され、符号化されたデータが記録され)てもよい。磁気ストライプ２６は、ＩＳＯ／ＩＥＣ規格７８１１に準拠して提供されてもよい。さらに図示するように、署名ブロック２７および／またはホログラム２８も、トランザクションカード１の前記第２面に装着されてもよい（例えば、ホットスタンプ処理により）。
【００９２】
ここで、図３が参照され、その図３は、図１に示すキャリア層１０の底面図（すなわち、キャリア層１０の前記第１面）を、第１および第２の接触レール４０，４２、発光パッチ５０、第１のアンテナ７０および第２のアンテナ７６と共に、それら接触レール４０，４２などが、キャリア層１０の下向きの前記第１面に支持状態で相互接続される状態で示している。その図示される実施態様においては、発光パッチ５０が、第１の接触レール４０と第２の接触レール４２との間に配置された複数の発光ダイオード５４と、第１の接触レール４０と第２の接触レール４２との間に配置された複数のダイオード５４を覆うように配置された導電性マトリクス５２とを有してもよく、ここに、複数の発光ダイオード５４は、電力信号が第１および第２の接触レール４０，４２において受け取られると発光する。あるアプローチにおいては、複数の発光ダイオード５４が、それらダイオードを含む懸濁液をキャリア層１０の表面上に被着させることにより提供されてもよい。したがって、導電性マトリクス５２は、複数の金属粒子（例えば、複数の銀含有粒子）を含む別の懸濁液を複数のダイオード５４上に被着させることにより提供されてもよい。図示するように、導電性マトリクス５２は、第１の接触レール４０とオーバーラップし、それにより、第１の接触レール４０に直接接触してもよく、また、第２の接触レール４２からわずかな隙間を隔ててもよい。
【００９３】
図３に示すように、発光パッチ５０は、第１および第２の接触部(contact、接触レール)４０，４２に沿った一連(a coontinuum、一列)の複数位置のうちの任意のものに都合のよいように(advantageously、複数位置のうちそのときの都合に合致した任意のものに)配置されてもよい。この種の複数の位置は、キャリア層１０の長さ(a length、全長)にわたって延びてもよく、よって、発光カード１のうち、対応する長さにわたって延びてもよく、それにより、特定の顧客のためにカスタマイズ化される配置およびそれに関連するマスクの設計が容易となる。
【００９４】
図４Ａは、キャリア層１０と、そのキャリア層１０にそれによって支持される状態で相互接続された複数の部品とであって、図３に示すものを示す概略的な側面断面図を示す。図示するように、第１および第２の接触レール４０，４２、発光パッチ５０、第１のアンテナ７０および第２のアンテナ７６（すなわち、外側ループ７６ａおよび内側ループ７６ｂによって形成されるように）は、キャリア層１０の下向きの前記第１面上にそれによって支持される状態で配置されてもよい。したがって、ブリッジ７２およびブリッジ７８は、キャリア層１０の前記第２面上にそれによって支持される状態で配置されてもよく、また、キャリア層１０の内部を通過して延び、それにより、図示されるいくつかのクロス接続部であってこの出願書類中の他の箇所に記載されるものを確立してもよい。図４Ａは、さらに、任意選択的に追加される燐光パッチ８０を示しており、その燐光パッチ８０は、発光パッチ５０とオーバーラップする関係を有するように、キャリア層１０の上向きの前記第２面にそれによって支持される状態で相互接続される。図４Ｂは、キャリア層１０と、そのキャリア層１０にそれによって支持される状態で相互接続された複数の部品とであって、図３および図４Ａに示すものの一変形例を示す概略的な側面断面図を示す。図示するように、第２のアンテナ７６およびブリッジ７８は、キャリア層１０の上向きの前記第２面上にそれによって支持される状態で配置される（例えば、第１のアンテナ７０とオーバーラップしない関係で）。
【００９５】
本発明によって提供される独自のカスタマイズ化の機会を考慮すると、多くの別の実施態様が認識され得る。例えば、図５および図６は、図１に示すキャリア層１０の変形例(modified embodiments、変更を施されたいくつかの具体例)を示す底面図（すなわち、キャリア層１０の前記第１面）を、第１および第２の接触レール４０，４２、発光パッチ５０、第１のアンテナ７０および第２のアンテナ７６であって、キャリア層１０の前記第１面に支持状態で相互接続されたものと共に示す。この種のいくつかの変形例(modified embodiments)においては、発光パッチ５０が、第１の接触レール４０と第２の接触レール４２との間に配置された複数の発光ダイオード５４と、第１の接触レール４０と第２の接触レール４２との間における複数のダイオード５４上に配置された導電性マトリクス５２とを有してもよく、ここに、複数の発光ダイオードは、電力信号が第１および第２の接触レール４０，４２において受け取られると発光する。あるアプローチにおいては、複数の発光ダイオード５４が、それらダイオードを含む懸濁液をキャリア層１０の表面上に被着させることにより提供されてもよい。したがって、導電性マトリクス５２は、複数の金属粒子（例えば、複数の銀含有粒子）を含む別の懸濁液を複数のダイオード５４上に被着させることにより提供されてもよい。図示するように、導電性マトリクス５２は、第１の接触レール４０とオーバーラップし、それにより、第１の接触レール４０に直接接触してもよく、また、第２の接触レール４２からわずかな隙間を隔ててもよい。
【００９６】
図５に示すように、発光パッチ５０は、第１および第２の接触レール４０，４２に沿った一連(a coontinuum、一列)の複数位置のうちの任意のものに都合のよいように(advantageously、複数位置のうちそのときの都合に合致した任意のものに)配置されてもよい。この種の複数の位置は、キャリア層１０の長さ(a length、全長)にわたって延びてもよく、よって、発光カード１のうち、対応する長さにわたって延びてもよく、それにより、特定の顧客のためにカスタマイズ化される配置およびそれに関連するマスクの設計が容易となる。
【００９７】
図６に示すように、第１および第２の接触パッド４０ａおよび４２ａ，第１および第２の接触パッド４０ｂおよび４２ｂならびに第１および第２の接触パッド４０ｃおよび４２ｃから成る複数のセットが、キャリア層１０に支持状態で相互接続されてもよく、それにより、発光パッチ５０を、対応する複数の位置のうちの任意のものに位置決めする作業が容易となり、それにより、特定の顧客のためにカスタマイズ化される配置およびそれに関連するマスクの設計が容易となる。例えば、また、図６に示すように、接触パッドの各セットは、スタブ状の(stub-like、短い突起状の)第１の接触パッド４０ａ，４０ｂおよび４０ｃと、複雑な形状を有する第２の接触パッド４２ａ，４２ｂおよび４２ｃであって対応するもの（例えば、図６に示すように、環状でリング状を成す形状）とを有してもよく、それら第２の接触パッド４２ａ，４２ｂおよび４２ｃは、共通の形状を有する(coincidentally-shaped、いずれの第２の接触パッドに関連付けられるかを問わず、発光パッチ５０は同一の形状を有するなど)発光パッチ５０のうちの少なくとも一部に沿って互いにわずかな隙間を隔てる関係で延びるように構成されている。この種のアプローチによれば、発光パッチ５０を複数の位置に位置決めする作業(multi-location positioning、多位置ポジショニング)がそれに好都合となるように実現され、同時に、特定の実施態様にとって望ましいかもしれないように、複雑な形状を有する発光パッチ５０を受け入れる(accommodating、に適応する)ことも実現される。
【００９８】
図７は、発光カード１００の別の実施形態を示しており、その実施形態は、図１−図６に図示されるとともにそれら図を参照して上述された発光カード１の複数の特徴部と共通する複数の特徴部を、それら特徴部に施されたいくつかの特定の変更点と共に有してもよい。したがって、それら共通の特徴部に関しては、同一の符号が図７において用いられ、また、それら特徴部についての詳細な説明であって前述のものが、図７を特に参照して行われた別段の詳細な説明または別段の図示がない限り、同様に適用される。
【００９９】
図７に示すように、発光カード１００は、カード本体(a card body、１枚のカード本体など)を有してもよく、そのカード本体は、非導電性の第１および第２のキャリア層１０，１２であって相互に接続されるもの（例えば、それぞれ、ポリマー系材料を含有する）と、第１のコア層２０であって、第２のキャリア層１２を覆うとともにそれに相互接続されるものとを有する。第１および第２の接触パッド４０，４２すなわちレール、ならびに任意選択的な第１のアンテナ７０および／または第２のアンテナ７６は、第１のキャリア層１０の上向き面であってそれら部品に共通のものの上に配置されるとともに支持状態で相互接続されてもよい。発光パッチ５０は、第１のキャリア層１０の上向き面に対向する第２のキャリア層１２の下向き面上に配置されるるともに支持状態で相互接続されてもよく、それにより、第１および第２の接触レール４０，４２と電気結合し（例えば、直接結合または容量結合により）、ここに、発光パッチ５０は、電力信号を第１の接触パッドおよび第２の接触パッド４０，４２において受け取ると発光する。この種の発光は、第１のコア層２０を透過し、かつ、発光カード１００の第１面上においておよび／または発光カード１００の周方向エッジにおいて実現されてもよい。
【０１００】
あるアプローチにおいては、金属ブリッジ７２（仮想線で示す）が、第１のキャリア層１０の下向きの第１面上に配置されるとともにそれに支持状態で相互接続されてもよく、このとき、複数の金属製のクロス接続部が、両端部(opposing ends、各クロス接続部の両端部など)において、第１のキャリア層１０の内部を通過して、第１のキャリア層１０の上向きの第２面上に配置される第１のアンテナ７０および第１の接触レール４０に到達する。さらに、別の金属ブリッジ（仮想線で示す）が、第１のキャリア層１０の下向きの第１面上に配置されるとともにそれに支持状態で相互接続されてもよく、このとき、複数の金属製のクロス接続部(cross-connections、立体交差する接続部など)が、両端部(opposing ends、各クロス接続部の両端部など)において、第１のキャリア層１０の内部を通過して、第１のキャリア層１０の上向きの第２面上に配置される第２のアンテナ７６のうちの互いに異なる複数の位置（例えば、両端部）に到達する。別のアプローチにおいては、第１のアンテナ７０および任意選択的な第２のアンテナ７６が、第１のキャリア層１０の下向きの前記第１面上に支持状態で配置されてもよく、このとき、金属ブリッジが、第１のキャリア層１０の内部を通過し、それにより、両端部(opposing ends、金属ブリッジの両端部など)において、第１のアンテナ７０および第１の接触レール４０にクロス接続するクロス接続部となるとともに、別の金属ブリッジが、第１のキャリア層１０の内部を通過し、それにより、両端部(opposing ends、別の金属ブリッジの両端部など)において、第２のアンテナ７６のうちの互いに異なる複数の位置（例えば、両端部）にクロス接続するクロス接続部となる。
【０１０１】
図７に示すように、第１および第２の接触レール４０，４２および発光パッチ５０は、製造時に、発光パッチ５０を、第１のキャリア層１０上の第１および第２の接触レール４０，４２に対して相対的に、第２のキャリア層１２上における互いに異なる複数の位置のうちの任意のものに位置決めする作業を容易にするために提供されてもよく、ここに、発光パッチ５０は、前記複数の位置のうちのいずれの位置においても発光するという機能を果たす。この点に関し、第１および第２の接触レール４０，４２のうち互いに対向する複数のエッジ部である複数の対向エッジ部は、それぞれ対応する複数の長さを第１の寸法の方向において有してもよく、それら長さは、発光パッチ５０の、前記第１の寸法の方向における最大クロス寸法(maximum cross-dimension、発光パッチ５０が前記第１の寸法の方向に横切るか、延びるかまたは占める複数の寸法である複数のクロス寸法のうちの最大値。発光パッチの、第１の寸法の方向に沿った複数の長さのうちの最大値など)より長く、それにより、上述のような可変位置決め作業が実現され、また、いくつかの実施態様においては、図７に示すように、それら長さが、発光パッチ５０のうちの複数のエッジ部(edge portions、辺)であって、隣接する（adjacent、第１および第２の接触レール４０，４２に隣接する）とともに対応する（corresponding、第１および第２の接触レール４０，４２に対応する）ものの、前記第１の寸法の方向における複数の長さより長い。他のいくつかの実施態様においては、例えば、図６に示されるとともにその図を参照して詳細に説明されるように、発光カード１００が、第２のキャリア層１２上に配置されるとともにそれ支持状態で相互接続された第１および第２の接触パッド４０ａおよび４２ａ，４０ｂおよび４２ｂならびに４０ｃおよび４２ｃから成る複数のセットを提供するように変更されてもよく、それにより、発光パッチ５０を、対応する複数の位置のうちの任意のものに位置決めする作業が容易になり、それにより、特定の顧客のためにカスタマイズ化される配置が容易となる。
【０１０２】
第２のキャリア層１２は、透明または半透明であってもよい。第２のキャリア層１２が半透明である場合、発光パッチ５０によって発光された光のうちの少なくとも一部が第２のキャリア層１２内で内部反射され、発光カード１００の周方向エッジに導かれ、それにより、周方向エッジが照らされて(for illumination thereof、周方向エッジが発光して)もよい。任意選択的に、第２のキャリア層１２は、蛍光顔料または染料を含有してもよい。第２のキャリア層１２が透明または半透明である場合、発光パッチ５０によって発光された光のうちの少なくとも一部が第２のキャリア層１２の前記第２面を透過し、それにより、発光カード１００の第１面のうちの少なくとも一部が照らされて(for illumination thereof、周方向エッジが発光して)もよい。後者に関し、マスク６０が発光パッチ５０のうちの少なくとも一部を覆うように提供されてもよく、それにより、発光パッチ５０が発光すると発光カード１００の前記第１面上において所定の画像６２を形成してもよい。マスク６０は、任意選択的なプリント層６４の一部として形成されてもよく、そのプリント層は、第１のコア層２０の内向き面上に提供されてもよい。例えば、プリント層６４は、不透明なまたは実質的に不透明なインク層（例えば、任意の所望の色のインク）を有してもよく、そのインク層は、第１のコア層２０の内向き面のうちの少なくとも所定の部分にわたって印刷され、その印刷は、ぐるりと延びて、マスク６０の前記所定のパターンを形成し、それにより、光が前記所定のパターンを通過することを可能にするように行われる。この点に関し、プリント層６４は、ＩＳＯ／ＩＥＣ規格７８１０の視覚的不透明度要求事項に準拠するように提供されてもよい。あるアプローチにおいては、プリント層６４が、マスク６０の前記所定のパターンを除き、第１のコア層２０の内向き面または外向き面の全体にわたり延びてもよい。別のアプローチにおいては、マスク６０が、発光パッチ５０を覆う関係を有するように第１のキャリア層１０に支持状態で相互接続されてもよい。
【０１０３】
燐光パッチ８０は、例えば発光パッチ５０およびマスク６０のうちの少なくとも複数の部分の間に、発光パッチ５０のうちの少なくとも一部を覆う関係を有するように、第２のキャリア層１２上に配置されるとともにそれに支持状態で相互接続されてもよい。燐光パッチ８０は、発光パッチ５０と実質的に同じ形状を有してもよい。図７に示すように、燐光パッチ８０は、第２のキャリア層１２の前記上向き面上に配置されるとともにそれに支持状態で相互接続されてもよい。これに代えて、燐光パッチ８０は、第２のキャリア層１２の前記下向き面と発光パッチ５０のうちの少なくとも一部との間において、第２のキャリア層１２の前記下向き面上に配置されるとともにそれに支持状態で相互接続されてもよい（例えば、発光パッチ５０のうちの少なくとも一部は、燐光パッチ８０の下向き面上に配置されるとともにそれに支持状態で相互接続されてもよい）。
【０１０４】
別の任意選択的な特徴部として、発光カード１００は、１枚または複数枚のフィルム層（図示しない）を有してもよく、その１枚または複数枚のフィルム層は、第１および第２の接触レール４０，４２、発光パッチ５０、第１のアンテナ７０、第２アンテナ８０および／または燐光パッチ８０（存在する場合）とオーバーラップする関係を有するように、第１のキャリア層１０の下向き面および／または第２のキャリア層１２の上向き面に相互接続され、それにより、予めラミネートされたインレーを形成する。例えば、別のフィルム層が、第１のキャリア層１０の下向き面および第２のキャリア層１２の上向き面の全体に接着によって装着されてそれらを覆ってもよく、それにより、予め結合された組立体が生成される。前記１枚または複数枚のフィルム層は、発光パッチ５０によって発光された光が前記１枚または複数枚のフィルム層を通過することを可能にするために透明であってもよい。さらに、印刷物が前記１枚または複数枚のフィルム層上に提供されてもよい。例えば、印刷マスク６０は、発光パッチ５０とオーバーラップする関係を有するように提供されてもよい（例えば、この出願書類中に詳細に説明されるプリント層６４に類似する手法でプリント層の一部として印刷される）。前記１枚または複数枚のフィルム層は、ポリマー系材料を含有してもよい。
【０１０５】
本発明について想定されるいくつかの実施態様においては、発光カード１００の前記カード本体が、さらに、第１のキャリア層１０の下向き面に（例えば、第１のコア層２０とは反対側の面に）配置される１枚または複数枚の追加層を有してもよい。例えば、また、図１に示すように、任意選択的な第２のコア層３０が第１のキャリア層１０の下向き面に相互接続されてもよい。発光カード１に関して上述したように、印刷物２２，３２が、それぞれ、第１のコア層２０および第２のコア層３０のそれぞれの両面のうちの一方または双方の上に提供されてもよく、ここに、この種の印刷物は、発光カード１００の第１面および／または第２面から視認される。したがって、保護用の１枚または複数枚の透明の外側フィルム層が、第１のコア層２０および第２のコア層３０（提供される場合）のそれぞれの外向き面上に提供されてもよい。
【０１０６】
第１のコア層２０（例えば、厚さが約０．００６−約０．００１インチ）、第２のコア層３０（例えば、厚さが約０．００６−約０．００１インチ）および保護用の外側フィルム層は、ポリマー系材料（例えば、ポリ塩化ビニル、ポリエチレンテレフタレート、ポリエチレンテレフタレートグリコール変性ポリエステルおよび／またはポリカーボネート）を含有してもよい。さらに、第１のキャリア層１０および第２のキャリア層１２（例えば、合計厚さ約０．００６−約０．０１２インチ）は、ポリマー系材料（例えば、ポリエチレンテレフタレートおよび／またはポリカーボネート）を含有してもよい。さらに、この出願書類中に記載される前述の種々の複数の層は、ラミネート加工により、前記複数の層のうち隣接するものの間に配置された熱接着性ポリマー系層または熱硬化性ポリマー系層と相互接続されてもよい。
【０１０７】
発光カード１００は、様々な形態で提供されてもよい。例えば、発光カード１００は、コレクタカード、身分証明カード、アクセスカード、ロイヤリティカード、会員カード、交通カードまたはトランザクション(transaction、商取引用)カードとして提供されてもよい。後者に関し、発光カード１００は、図１，図２Ａおよび図２Ｂに示す発光カード１に関して記載したように、トランザクションカードとして使用するための追加的ないくつかの特徴部を備えてもよい。
【０１０８】
図８は、図７の発光カード１００を、第２のキャリア層１２上の発光パッチ５０および燐光パッチ８０のそれぞれの形状が変更された状態で示している。図８に示す発光カード１００は、発光カード１および発光カード１００であって、それぞれ、図１−図６および図７に示されるとともにそれら図を参照して上記において文章によって説明されたもののいくつかの特徴部と共通するいくつかの特徴部を、それら特徴部に対するいくつかの特定の変更点と共に有してもよい。したがって、それら共通の特徴部に関しては、同一の符号が図８において用いられ、また、それら特徴についての詳細な説明であって前述のものが、図８を特に参照して行われた別段の詳細な説明または別段の図示がない限り、同様に適用される。
【０１０９】
図８に示すように、発光パッチ５０は、長手形状を有しており、その長手形状は、発光カード１００の周方向エッジのうちの少なくとも一部または全体に沿って（例えば、それに対して平行である関係で）延びており、ここに、発光パッチ５０は、第１および第２の接触パッド４０，４２と電気結合を行い、それにより、第１および第２の接触パッド４０，４２に電力信号を供給すると発光するように、配置される。したがって、第２のキャリア層１２は、発光カード１００のうちの少なくとも１本のサイドエッジ(side edge、側辺)、複数本のサイドエッジ(side edge、側辺)または全周の周方向エッジの周りにおいて、エッジでの強調発光（enhanced edge illumination、エッジが他より強調されて発光すること）を行うために、半透明であってもよい。より具体的には、また、図示されるように、発光パッチ５０は、フレーム状の(frame-like、内部が中空であるか内部が貫通している枠型の、中空枠状の)矩形形状を有してもよく、その矩形形状は、自身の内部に開放領域(open field、開口部など)を第２のキャリア層１２上に有する。他のいくつかの実施態様においては、発光パッチ５０が、発光カード１００のうちの１本のエッジ、電気的に相互接続される２本のエッジであって幅寸法もしくは長さ寸法において互いに対向するもの、または、電気的に相互接続される３本のエッジであって互いに連続するものに沿って延びてもよい。
【０１１０】
図８にさらに示するように、第１のアンテナ７０は、発光パッチ５０であって上述のようにフレーム状を成すものの内部において（例えば、フレーム状の発光パッチ５０によって形成される前記開口領域の内部において）、かつ、発光パッチ５０とオーバーラップしない関係で延びるように、第１のキャリア層１０上に配置されてもよい。したがって、第１および第２の電気接点５２ａ，５２ｂが、発光パッチ５０のうちの互いに異なる複数の部分と、第１および第２の接触パッド４０，４２のうちの互いに異なる複数のものとがそれらの間で電気的に接触する状態で、第２のキャリア層１２の下向きの前記第１面に配置されるとともにそれに支持状態で相互接続されてもよい。この種のいくつかの配置構成においては、非導電性の材料５４が、第１および第２の電気接点５２ａ，５２ｂと第１のアンテナ７０との間において、それらが互いにオーバーラップするいくつかの領域内に提供されてもよい。
【０１１１】
任意選択的な燐光パッチ８０が、製造時に発光パッチ５０が配置されるかもしれない複数の位置のうちの任意のものを覆うとともにそれに対応する関係を有するように、かつ、下から支える発光パッチ５０と上から覆うマスク６０との間において、第１のキャリア層１０上に支持状態で配置されてもよい。この種のいくつかの実施態様においては、燐光パッチ８０が、発光パッチ５０と実質的に同じ形状を有してもよい。一例として、また、図８に示すように、燐光パッチ８０は、発光パッチ５０の前記フレーム状の形状と致するフレーム状の形状を有してもよい。
【０１１２】
あるアプローチにおいては、燐光パッチ８０が、発光パッチ５０を覆う関係を有するように第１のキャリア層１０に支持状態で相互接続された被膜であって燐光材料を含むものによって形成されてもよい。一例として、また、図１に示すように、燐光パッチ８０は、キャリア層１０の下向きの前記第１面上に配置される発光パッチ５０とオーバーラップする関係を有するように、第１のキャリア層１０の上向きの前記第２面上に支持状態で配置されてもよい。燐光パッチ８０は、発光パッチ５０を構成するいくつかのダイオードの可視青色トーン発光光を可視白色トーン発光光に効果的に変換するために提供されてもよく、それにより、発光カード１の審美的特徴部および／または機能的特徴部がさらに強化される。
【０１１３】
任意選択的に、フレーム状の発光パッチ５０に加えて、別の発光パッチ５０ａが、第２のキャリア層１２上に提供されるとともに、第１の接触レール４０と第２の接触レール４２との間に配置されてもよく、また、別の燐光パッチ８０ａが、図７に示す発光パッチ５０に関して上述されたものに類似する手法で、発光パッチ５０ａとオーバーラップする関係を有するように提供されてもよい。この種のいくつかの配置構成においては、発光パッチ５０および発光パッチ５０ａによって提供される合計(combined、合成)電気的負荷が、この出願書類中の他の箇所に記載される設計／動作に関する目的のために、この出願書類中の複数の実施態様のうちの今回の実施態様を除くものの発光パッチ５０と実質的に等しくなるように確立されてもよい。
【０１１４】
図９は、発光カード１００についての別の実施形態を示しており、その実施形態は、図１−図６に示されるとともにそれら図を参照して上記において文章によって説明されたいくつかの特徴部と共通するいくつかの特徴部を、当該実施形態に対するいくつかの特定の変更点と共に有してもよい。したがって、それら共通の特徴部に関しては、同一の符号が図９において用いられ、また、それら特徴についての詳細な説明であって前述のものが、図９を特に参照してされた別段の詳細な説明または別段の図示がない限り、同様に適用される。
【０１１５】
図９に示すように、発光カード１００は、カード本体を有しており、そのカード本体は、非導電性のキャリア層１０と、そのキャリア層１０を覆うとともにそれに相互接続された第１のコア層２０とを有し、このとき、第１および第２の接触パッド４０，４２すなわちレールは、第１のキャリア層１０の面であって共通する(common、第１および第２の接触パッド４０，４２に共通するもの)（例えば、下向き）上に配置されるとともにそれに支持状態で相互接続されている。さらに、発光パッチ５０が、第１および第２の接触レール４０，４２と電気結合するために（例えば、直接結合または容量結合により）、キャリア層１０の、前記面と同じ面（例えば、下向き）上に配置されるとともにそれに支持状態で相互接続されてもよく、ここに、発光パッチ５０は、第１および第２の接触パッド４０，４２において電力信号を受け取ると発光する。後者に関し、単一のアンテナ７６がキャリア層１０上に配置されるとともにそれに支持状態で相互接続されてもよく、また、その単一のアンテナ７６は、自身のうちの互いに異なる(offset、ずれた、互いに対向するなど)複数の位置において、第１および第２の接触パッド４０，４２に電気的に相互接続され、それにより、それらに第１および第２の接触パッド４０，４２電力信号を提供してもよく、また、その単一のアンテナ７６は、ＩＣチップモジュール９０に電気的に相互接続され、それにより、電力／データ信号を提供してもよい。
【０１１６】
図９に示すように、集積回路（ＩＣ）チップモジュール９０（例えば、少なくともＩＣチップを含む）およびアンテナ７６が、非接触型信号を非接触チップカードリーダに対して送受信するために内蔵されてもよく、その非接触型信号は、例えば、高周波(radio-frequency、無線周波数)放射波信号であり、その信号は、電力／データ信号をＩＣチップモジュール９０にアンテナ７６を介して提供するとともに、電力信号を第１および第２の接触レール４０，４２にアンテナ７６を介して提供する。理解されるかもしれないように、この種の非接触型信号は、非接触チップカードリーダとＩＣチップモジュール９０との間のデータ伝送（例えば、発光カード１を利用した決済トランザクションの完了に付随するデータ伝送）のために提供されてもよい。この点に関し、ＩＣチップモジュール９０およびアンテナ７６は、ＩＳＯ／ＩＥＣ規格１４４４３に準拠して動作するために構成されてもよい。
【０１１７】
図９に示す実施形態においては、アンテナ７６が、連続する長さを有する金属(a continuous length of metal、有限長を有する金属ワイヤなど)を有してもよく、その金属は、キャリア層１０に支持状態で相互接続されるとともに、１周または複数周の外側ループ７６ａを形成する。あるアプローチにおいては、１周または複数周の外側ループ７６ａが、第１および第２の接触レール４０，４２ならびに発光パッチ５０であってキャリア層１０の共通する面(common side、それら要素に共通する面、同じ面)上にあるものの周りを延びるように配置されてもよい。
【０１１８】
いくつかの配置構成においては、アンテナ７６が、キャリア層１０上に支持状態で配置される１層または複数層の金属層によって形成されてもよい（例えば、めっき処理およびエッチング処理により）。他のいくつかの配置構成においては、アンテナ７６が、金属ワイヤによって形成されてもよく、その金属ワイヤは、キャリア層１０上に支持状態で配置されるとともにそれの内部に部分的に埋め込まれる(embedded、埋設される)。
【０１１９】
種々のアプローチが、アンテナ７６とＩＣチップモジュール９０との間の電気結合を実現するために用いられてもよい。例えば、いくつかのアプローチにおいては、ＩＣチップモジュール９０が、発光カード１００内に埋め込まれるとともに、アンテナ７６に直接相互接続されてもよい（例えば、１周または複数周の外側ループ７６ａのうちの両端部が、ＩＣチップモジュール９０のうちのＩＣチップ上に設けられた複数の接点のうちの互いに異なる複数のものに電気的に相互接続されてもよい）。
【０１２０】
図９に示すアプローチにおいては、発光カード１００が、ポケット(pocket、凹み、凹部、凹陥部など)２１を有してもよく、そのポケット２１は、発光カード１の第１面の内部に延びるとともに、アンテナ７６と電気結合するためにＩＣチップモジュール９０を収容するように構成されている。いくつかの実施態様においては、ＩＣチップモジュール９０が、非導電性の基材と、その基材の内向き面に支持状態で相互接続されたＩＣチップと、複数の接触パッドであって、前記基材の外向き面に支持状態で相互接続されるとともに、前記基材を介して前記ＩＣチップの複数の接点のうちの互いに異なる複数のものに電気的に相互接続されるものとを有してもよい。後者に関し、前記複数の接触パッドは、接触型チップカードリーダに対する接触型信号の送受信を行うように構成されてもよく、その接触型信号は、例えば、電力をＩＣチップモジュール９０に提供するとともに、前記接触型チップカードリーダとＩＣチップモジュール９０との間のデータ伝送（例えば、発光カード１を利用した決済トランザクションの完了に付随するデータ伝送）のために提供されてもよい。この点に関し、ＩＣチップモジュール９０および前記複数の接触パッドは、ＩＳＯ／ＩＥＣ規格７８１６に準拠して動作するように構成されてもよい。理解されるかもしれないように、この種のいくつかの実施態様においては、発光カード１が、デュアルインターフェース(dual interface、二重インターフェース)型トランザクションカード(transaction card、商取引用カードなど)として用いられてもよい。
【０１２１】
いくつかの配置構成においては、ＩＣチップモジュール９０が、さらに、結合用(coupling)アンテナを有してもよく、その結合用アンテナは、前記基材の内向き面に支持状態で相互接続されるとともに、ＩＣチップモジュール９０の前記ＩＣチップに電気的に相互接続される。例えば、結合用アンテナは、連続する長さを有する金属(a continuous length of metal、１本の有限長の金属、１本の金属ワイヤ)を有してもよく、その金属は、１周または複数周のループを形成し、そのループは、前記ＩＣチップの周囲に沿って延びるとともに、前記ＩＣチップのうちの複数の接点のうちの互いに異なる複数のものに電気的に相互接続される。したがって、アンテナ７６は、ＩＣチップモジュール９０の前記結合用アンテナと誘導結合するように構成されてもよい。より具体的には、また、図９に示すように、アンテナ７６は、１周または複数周の内側ループ７６ｂを有してもよく、ここに、１周または複数周の外側ループ７６ａおよび１周または複数周の内側ループ７６ｂは、上述の、連続する長さを有する金属によって形成される。１周または複数周の内側ループ７６ｂは、ＩＣチップモジュール９０がポケット２１内において動かないように固定されるとき、１周または複数周の内側ループ７６ｂとＩＣチップモジュール９０の結合用アンテナとが、誘導結合のために、隙間を隔てて互いに対向する関係を有するように配置されるように、配置されてもよい。図９に示すように、金属ブリッジ７８（仮想線で示す）が、キャリア層１０の第２面に支持状態で相互接続されてもよく、ここに、いくつかの金属製のクロス接続部(cross-connections、別の要素から立体交差によって退避する姿勢で、複数の回路または素子を相互に電気的に接続する部分など)が、１周または複数周の外側ループ７６ａの一端部と１周または複数周の内側ループ７６ｂの一端部とを電気的に相互接続するために、キャリア層１０の内部を通過するように構成されてもよい。
【０１２２】
上述のいくつかの実施形態においては、発光パッチ５０が、実質的にクリアな(clear、透明な)導電層と、中間層と、導電パッドとを有してもよく、前記導電層は、キャリア層１０または、存在する場合には第２のキャリア層１２の上に支持状態で配置され、それにより、キャリア層１０上に提供される第１の接触パッド４０またはレールとの間で電気結合（例えば、直接結合または容量結合）を行い、前記中間層は、前記導電層上に支持状態で配置される複数の発光ダイオードでを有し、前記導電パッドは、第２の接触パッド４２またはレールであってキャリア層１０の上に提供されるものとの間で電気結合（例えば、直接結合または容量結合）を行うために前記中間層上に支持状態で配置される。後者に関し、前記導電パッドは、前記導電層から、それら導電パッドと導電層との間に配置された非導電性材料の層によって電気的に絶縁されてもよい。
【０１２３】
種々の実施態様が、上述のおよび／またはこの出願書類において後述の装置関連特徴および／または方法関連特徴より成る任意の数の組合せを含んでもよい。この種の複数の組合せは、後述の複数の具体例によって包含されるものを含んでもよい。
【０１２４】
１．  発光可能な発光カードであって、
カード本体であって、非導電性のキャリア層と、そのキャリア層の第１面を覆うとともにそのキャリア層に相互接続される第１のコア層であって、少なくとも部分的に光透過性を有するものとを有するものと、
導電性の第１および第２の接触パッドであって、隙間を隔てて互いに対向する関係で、前記キャリア層に支持状態で(supportably、それによって支持される状態で)相互接続され、それにより、外部電源および搭載電源のうちの一方から電力信号を受け取るものと、
発光可能な発光パッチであって、前記第１および第２の接触レールの間において、前記キャリア層に支持状態で(supportably、それによって支持される状態で)相互接続され、それにより、前記第１および第２の接触レールにおいて電力信号を受け取ると発光するものと、
マスクであって、前記発光パッチのうちの少なくとも一部を覆うとともに、前記発光パッチが発光すると当該発光カードの第１面上において可視化される所定の画像を形成するものと
を含む発光カード。
２．  前記第１および第２の接触パッドは、それぞれ、第１および第２の接触レールによって形成され、それら第１および第２の接触レールのうち互いに対向する複数のエッジ部である複数の対向エッジ部は、それぞれ対応する長さを第１の寸法の方向に有しており、それぞれ対応する長さは、前記発光パッチが前記第１の寸法の方向に横切る複数の寸法である複数のクロス寸法のうちの最大値である最大クロス寸法より長い具体例１に記載の発光カード。
３．  前記第１および第２の接触レールの前記複数の対向エッジ部は、前記発光パッチのうち、それぞれ対応する長さに沿って前記発光パッチと一致するように(coincidentally along the corresponding lengths thereof)延びる具体例２に記載の発光カード。
４．  前記第１および第２の接触レールの前記複数の対向エッジ部は、前記発光パッチのうち、それぞれ対応する長さに沿って前記発光パッチに対して実質的に平行である関係で(in substantially parallel relation along the corresponding lengths thereof)延びる具体例２に記載の発光カード。
５．  前記カード本体は、矩形状を成し、前記第１および第２の接触レールの前記複数の対向エッジ部は、前記カード本体の周方向エッジに対して平行である関係で延びる具体例４に記載の発光カード。
６．  前記第１および第２の接触レールは、それぞれ対応する幅として、それぞれ対応する自身の長さに沿って実質的に一定である幅を有する具体例４に記載の発光カード。
７．  前記第１の接触レールの前記対向エッジ部のうちの第１部分は、前記発光パッチのうち、対応するエッジ部とオーバーラップし、前記第１の接触レールのうちの第２部分は、前記発光パッチの前記対応するエッジ部を前記第１の寸法の方向に越えて延びる具体例２に記載の発光カード。
８．  前記第２部分は、それに対応する長さであって前記第１の寸法の方向におけるものを、前記第１部分の長さであって前記第１の寸法の方向におけるものの少なくとも５０％として有する具体例７に記載の発光カード。
９．  前記発光パッチは、次の複数の形状のうちのいずれかを有しており、それら形状は、
多角形形状および
楕円形形状である具体例２に記載の発光カード。
１０．  前記マスクは、前記キャリア層に支持状態で(supportably、それによって支持される状態で)相互接続された表面と前記第１のコア層の表面とのうちの一方の上に印刷された印刷マスクを含む具体例１に記載の発光カード。
１１．  前記印刷マスクは、実質的に不透明であるインクを含む具体例１０に記載の発光カード。
１２．  前記マスクは、前記第１のコア層の内向き面および外向き面のうちの一方の上に印刷される印刷マスクを含み、その印刷マスクが、プリント層のうちの少なくとも第１部分を形成する具体例１に記載の発光カード。
１３．  前記プリント層のうちの第２部分は、さらに、
可視の人間可読キャラクタと、
可視のグラフィクスと、
可視の機械可読マーキングと、
前記第１のコア層の前記一方の内向き面および外向き面のうちの実質的に全体にわたって延びるフラッド層(flood layer、印刷層）と
のうちの少なくとも１つを含む具体例１２に記載の発光カード。
１４．  さらに、
半透明層であって、前記発光パッチとオーバーラップする関係で、前記発光パッチと前記第１のコア層との間に配置されたものを含み、
前記カード本体のうちの少なくとも１つの周方向エッジは、前記発光パッチが発光すると前記半透明層によって照らされる具体例１に記載の発光カード。
１５．  前記カード本体は、さらに、
前記キャリア層にそれの下向き面上において相互接続された第２のコア層と、
前記キャリア層にそれの下向き面上において相互接続された第２のコア層であって、前記キャリア層との間に金属箔層が相互接続されたものと
のうちの少なくとも一方または両方を含む具体例１に記載の発光カード。
１６．  さらに、
アンテナであって、そのアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと、
集積回路チップであって、その集積回路チップは、外部の接触型チップカードリーダから接触型電力信号を受け取るために配置される複数の接触パッドに電気的に相互接続され、前記第１および第２の接触パッドは、前記接触型電力信号を受け取るために前記集積回路チップのうち、互いに異なる複数の接触端子に電気的に相互接続されるものと
のうちの少なくとも一方を含む具体例１に記載の発光カード。
１７．  さらに、
当該発光カードの前記第１面に位置するポケット内に配置される集積回路チップと、
アンテナであって、そのアンテナのうちの互いに異なる複数の位置において、前記第１および第２の接触パッドのうちの互いに異なる複数のものに電気的に相互接続されるとともに、前記集積回路チップに直接的に結合されるかまたは誘導的に結合されることが可能であり、それにより、高周波電磁波の外部放射源から非接触型電力信号を受信するものと
を含む具体例１に記載の発光カード。
１８．  さらに、
第１のアンテナであって、前記キャリア層に支持状態で(supportably、それによって支持される状態で)相互接続されるとともに、前記第１のアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものを含む具体例１に記載の発光カード。
１９．  さらに、
当該発光カードの前記第１面に位置するポケット内に配置される集積回路チップと、
第２のアンテナであって、前記キャリア層に支持状態で(supportably、それによって支持される状態で)相互接続されるとともに、前記集積回路チップに直接的に結合されるまたは誘導的に結合されることが可能であり、それにより、前記高周波電磁波の外部放射源を含む外部の非接触型チップカードリーダから非接触型電力信号を受信するものを含む具体例１８に記載の発光カード。
２０．  前記第１のアンテナは、第１の複数の金属ループを含み、前記第２のアンテナは、第２の複数のアンテナループ(anntenna loop、金属ループ)を含み、前記第２の複数の金属ループは、前記キャリア層上において前記第１の複数の金属ループの周りを延びる具体例１９に記載の発光カード。
２１．  前記第２の複数の金属ループは、前記キャリア層上において前記第１および第２の接触パッドならびに前記発光パッチの周りを延びる具体例２０に記載の発光カード。
２２．  さらに、
前記発光パッチのうちの少なくとも一部を覆う燐光パッチであって、その覆われる発光パッチと前記マスクとの間に配置されるものを含む具体例１に記載の発光カード。
２３．  前記燐光パッチは、前記キャリア層の上向き面および下向き面のうちの一方に直接接触状態でかつ支持状態で(supportably、それによって支持される状態で)相互接続される具体例２２に記載の発光カード。
２４．  前記発光パッチならびに前記第１および第２の接触パッドは、前記キャリア層の下向き面に支持状態で(supportably、それによって支持される状態で)相互接続され、
前記キャリア層は、少なくとも部分的に光透過性を有し、
当該発光カードは、さらに、
アンテナであって、前記キャリア層の前記下向き面に支持状態で(supportably、それによって支持される状態で)相互接続されるとともに、前記アンテナのうちの互いに異なる複数の位置において、前記第１および前記第２の接触パッドのうち互いに異なる複数のものに電気的に相互接続され、それにより、高周波電磁波の外部放射源から非接触型電力信号を受信するものを含む具体例１に記載の発光カード。
２５．  前記第１および第２の接触パッドは、前記キャリア層の上向き面に支持状態で(supportably、それによって支持される状態で)相互接続され、
当該発光カードは、さらに、
前記キャリア層とそれを覆う前記第１のコア層との間に配置された非導電性の第２のキャリア層であって、前記発光パッチは、前記第２のキャリア層の下向き面に支持状態で(supportably、それによって支持される状態で)相互接続されるものと、
アンテナであって、前記キャリア層の前記下向き面に支持状態で(supportably、それによって支持される状態で)相互接続されるとともに、前記アンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと
を含む具体例１に記載の発光カード。
２６．  複数枚の発光カードであって、各発光カードごとに、
共通の構成を有する(commonly-configured、複数枚の発光カードに共通の構成を有する)カード本体であって、
非導電性のキャリア層と、
そのキャリア層を覆うとともにそれに相互接続された第１のコア層であって、少なくとも部分的に光透過性を有するものと
を有するものと、
共通の構成を有する(commonly-configured、複数枚の発光カードに共通の構成を有する)とともに導電性の第１および第２の接触パッドであって、隙間を隔てて互いに対向する関係で、前記キャリア層に支持状態で(supportably、それによって支持される状態で)相互接続され、それにより、外部電源および搭載電源のうちの一方から電力信号を受け取るものと
を含み、
前記複数枚の発光カードのうちの第１部分(first portion、第１部分集合)につき、それぞれ対応する発光カードは、
共通の構成を有する(commonly-configured、複数枚の発光カードに共通の構成を有する)第１の発光パッチであって、対応する第１および第２の接触パッドにおいて電力信号を受け取ると発光するために、対応する第１および第２の接触パッドと電気的に結合するように支持状態で(supportably、それによって支持される状態で)配置されるものと、
共通の構成を有する(commonly-configured、複数枚の発光カードに共通の構成を有する)第１のマスクであって、対応する第１の発光パッチのうちの少なくとも一部を覆うとともに、対応する前記共通の構成を有する第１の発光パッチが発光すると当該発光カードの第１面上に可視化される第１の所定の画像を形成するものと
を含み、
前記複数枚の発光カードのうちの第２部分(second portion、第２部分集合)につき、それぞれ対応する発光カードは、
共通の構成を有する(commonly-configured、複数枚の発光カードに共通の構成を有する)第２の発光パッチであって、対応する第１および第２の接触パッドにおいて電力信号を受け取ると発光するために、対応する第１および第２の接触パッドと電気的に結合するように支持状態で(supportably、それによって支持される状態で)配置されるものと、
共通の構成を有する(commonly-configured、複数枚の発光カードに共通の構成を有する)第２のマスクであって、対応する第２の発光パッチのうちの少なくとも一部を覆うとともに、対応する前記共通の構成を有する第２の発光パッチが発光すると当該発光カードの第１面上に可視化される第２の所定の画像を形成するものと
を含み、
前記共通の構成を有する第１のマスクおよび前記第１の所定の画像は、それぞれ、前記共通の構成を有する第２のマスクおよび前記第２の所定の画像とは異なる複数枚の発光カード。
２７．  前記複数枚の発光カードのうちの前記第１部分の各発光カードにつき、対応する前記共通の構成を有する第１の発光パッチは、対応する第１および第２の接触パッドに対する第１の相対位置であって共通する(common、前記第１部分に属する部分複数枚（前記複数枚のうちの一部である複数枚）の発光カードに共通する)ものに配置され、前記複数枚の発光カードのうちの前記第２部分の各発光カードにつき、対応する前記共通の構成を有する第２の発光パッチは、対応する第１および第２の接触パッドに対する第２の相対位置であって共通する(common、前記第２部分に属する部分複数枚（前記複数枚のうちの一部である複数枚）の発光カードに共通する)ものに配置され、前記第１の相対位置と前記第２の相対位置とは、互いに異なる具体例２６に記載の複数枚の発光カード。
２８．  前記複数枚の発光カードのそれぞれにつき、対応する第１および第２の接触パッドは、それぞれ、第１および第２の接触レールによって形成され、対応する第１および第２の接触レールのうち互いに対向する複数のエッジ部である複数の対向エッジ部は、それぞれ対応する長さを第１の寸法の方向に有しており、それぞれ対応する長さは、対応する前記共通の構成を有する第１の発光パッチ、または対応する前記共通の構成を有する第２の発光パッチが前記第１の寸法の方向に横切る複数の寸法である複数のクロス寸法のうちの最大値である最大クロス寸法より長い具体例２７に記載の複数枚の発光カード。
２９．  前記共通の構成を有する第１の発光パッチと前記共通の構成を有する第２の発光パッチとは、互いに異なり、前記共通の構成を有する第１の発光パッチおよび前記共通の構成を有する第２の発光パッチは、互いに実質的に共通する電気負荷を有する具体例２６に記載の複数枚の発光カード。
３０．  当該複数枚の発光カードのそれぞれは、具体例１ないし１５のいずれかに記載の発光カードの特徴部または具体例３１ないし８４のいずれかに記載の発光カードの特徴部を含む具体例２６に記載の複数枚の発光カード。
３１．  発光可能な発光カードであって、
カード本体であって、
非導電性のキャリア層と、
そのキャリア層を覆うとともにそれに相互接続される第１のコア層と
を有するものと、
導電性の第１および第２の接触レールであって、隙間を隔てて互いに対向する関係で、前記キャリア層にそれによって支持される状態で相互接続され、それにより、外部電源および搭載電源のうちの一方から電力信号を受け取るものと、
発光可能な発光パッチであって、前記第１および第２の接触レールにおいて電力信号を受け取ると発光するために前記第１および第２の接触レールと電気的に結合するように支持状態で(supportably、それによって支持される状態で)配置されるものと
を含み、
前記第１および第２の接触レールのうち互いに対向する複数のエッジ部である複数の対向エッジ部は、それぞれ対応する長さを第１の寸法の方向に有しており、それぞれ対応する長さは、対応する前記発光パッチが前記第１の寸法の方向に横切る複数の寸法である複数のクロス寸法のうちの最大値である最大クロス寸法より長い発光カード。
３２．  前記第１および第２の接触レールの前記複数の対向エッジ部は、前記発光パッチのうち、それぞれ対応する長さに沿って前記発光パッチと一致するように(coincidentally along the corresponding lengths thereof)延びる具体例３１に記載の発光カード。
３３．  前記第１および第２の接触レールの前記複数の対向エッジ部は、前記発光パッチのうち、それぞれ対応する長さに沿って前記発光パッチに対して実質的に平行である関係で(in substantially parallel relation along the corresponding lengths thereof)延びる具体例３２に記載の発光カード。
３４．  前記カード本体は、矩形状を成し、前記第１および第２の接触レールの前記複数の対向エッジ部は、前記カード本体の周方向エッジに対して平行である関係で延びる具体例３３に記載の発光カード。
３５．  前記第１および第２の接触レールは、それぞれ対応する幅として、それぞれ対応する自身の長さに沿って実質的に一定である幅を有する具体例３３に記載の発光カード。
３６．  前記第１の接触レールの前記対向エッジ部のうちの第１部分は、前記発光パッチのうち、対応するエッジ部とオーバーラップし、前記第１の接触レールのうちの第２部分は、前記発光パッチの前記対応するエッジ部を前記第１の寸法の方向に越えて延びる具体例１に記載の発光カード。
３７．  前記第２部分は、それに対応する長さであって前記第１の寸法の方向におけるものを、前記第１部分の長さであって前記第１の寸法の方向におけるものの少なくとも５０％として有する具体例３０に記載の発光カード。
３８．  前記発光パッチは、次の複数の形状のうちのいずれかを有しており、それら形状は、
多角形形状および
楕円形形状である具体例３１に記載の発光カード。
３９．  さらに、マスクを含み、そのマスクは、前記発光パッチのうちの少なくとも一部を覆うとともに、前記発光パッチが発光すると当該発光カードの第１面上において可視化される所定の画像を形成する具体例３１に記載の発光カード。
４０．  前記マスクは、前記キャリア層に支持状態で(supportably、それによって支持される状態で)相互接続された表面と前記第１のコア層の表面とのうちの一方の上に印刷された印刷マスクを含む具体例３９に記載の発光カード。
４１．  前記印刷マスクは、実質的に不透明であるインクを含む具体例４０に記載の発光カード。
４２．  前記マスクは、前記第１のコア層の内向き面および外向き面のうちの一方の上に印刷される印刷マスクを含み、その印刷マスクが、プリント層のうちの少なくとも第１部分を形成する具体例３９に記載の発光カード。
４３．  前記プリント層のうちの第２部分は、さらに、
可視の人間可読キャラクタと、
可視のグラフィクスと、
可視の機械可読マーキングと、
前記第１のコア層の前記一方の内向き面および外向き面のうちの実質的に全体にわたって延びるフラッド層(flood layer、印刷層）と
のうちの少なくとも１つを含む具体例４２に記載の発光カード。
４４．  さらに、
半透明層であって、前記発光パッチとオーバーラップする関係で、前記発光パッチと前記第１のコア層との間に配置されたものを含み、
前記カード本体のうちの少なくとも１つの周方向エッジは、前記発光パッチが発光すると前記半透明層によって照らされる具体例３１に記載の発光カード。
４５．  前記カード本体は、さらに、
前記キャリア層にそれの下向き面上において相互接続された第２のコア層と、
前記キャリア層にそれの下向き面上において相互接続された第２のコア層であって、前記キャリア層との間に金属箔層が相互接続されたものと
のうちの少なくとも一方または両方を含む具体例３１に記載の発光カード。
４６．  さらに、
アンテナであって、そのアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと、
集積回路チップであって、その集積回路チップは、外部の接触型チップカードリーダから接触型電力信号を受け取るために配置される複数の接触パッドに電気的に相互接続され、前記第１および第２の接触パッドは、前記接触型電力信号を受け取るために前記集積回路チップのうち、互いに異なる複数の接触端子に電気的に相互接続されるものと
のうちの少なくとも一方を含む具体例３１に記載の発光カード。
４７．  さらに、
当該発光カードの前記第１面に位置するポケット内に配置される集積回路チップと、
アンテナであって、そのアンテナのうちの互いに異なる複数の位置において、前記第１および第２の接触パッドのうちの互いに異なる複数のものに電気的に相互接続されるとともに、前記集積回路チップに直接的に結合されるかまたは誘導的に結合されることが可能であり、それにより、高周波電磁波の外部放射源から非接触型電力信号を受信するものと
を含む具体例３１に記載の発光カード。
４８．  さらに、
第１のアンテナであって、前記キャリア層に支持状態で(supportably、それによって支持される状態で)相互接続されるとともに、前記第１のアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものを含む具体例３１に記載の発光カード。
４９．  さらに、
当該発光カードの前記第１面に位置するポケット内に配置される集積回路チップと、
第２のアンテナであって、前記キャリア層に支持状態で(supportably、それによって支持される状態で)相互接続されるとともに、前記集積回路チップに直接的に結合されるまたは誘導的に結合されることが可能であり、それにより、前記高周波電磁波の外部放射源を含む外部の非接触型チップカードリーダから非接触型電力信号を受信するものを含む具体例４８に記載の発光カード。
５０．  前記第１のアンテナは、第１の複数の金属ループを含み、前記第２のアンテナは、第２の複数のアンテナループを含み、前記第２の複数の金属ループは、前記キャリア層上において前記第１の複数の金属ループの周りを延びる具体例４９に記載の発光カード。
５１．  前記第２の複数の金属ループは、前記キャリア層上において前記第１および第２の接触パッドならびに前記発光パッチの周りを延びる具体例５０に記載の発光カード。
５２．  さらに、
前記発光パッチのうちの少なくとも一部を覆う燐光パッチであって、その覆われる発光パッチと前記マスクとの間に配置されるものを含む具体例３１に記載の発光カード。
５３．  前記燐光パッチは、前記キャリア層の上向き面および下向き面のうちの一方に直接接触状態でかつ支持状態で(supportably、それによって支持される状態で)相互接続される具体例５２に記載の発光カード。
５４．  前記発光パッチならびに前記第１および第２の接触パッドは、前記キャリア層の下向き面に支持状態で(supportably、それによって支持される状態で)相互接続され、
前記キャリア層は、少なくとも部分的に光透過性を有し、
当該発光カードは、さらに、
アンテナであって、前記キャリア層の前記下向き面に支持状態で(supportably、それによって支持される状態で)相互接続されるとともに、前記アンテナのうちの互いに異なる複数の位置において、前記第１および前記第２の接触パッドのうち互いに異なる複数のものに電気的に相互接続され、それにより、高周波電磁波の外部放射源から非接触型電力信号を受信するものを含む具体例３１に記載の発光カード。
５５．  前記第１および第２の接触パッドは、前記キャリア層の上向き面に支持状態で(supportably、それによって支持される状態で)相互接続され、
当該発光カードは、さらに、
前記キャリア層とそれを覆う前記第１のコア層との間に配置された非導電性の第２のキャリア層であって、前記発光パッチは、前記第２のキャリア層の下向き面に支持状態で(supportably、それによって支持される状態で)相互接続されるものと、
アンテナであって、前記キャリア層の前記下向き面に支持状態で(supportably、それによって支持される状態で)相互接続されるとともに、前記アンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと
を含む具体例３１に記載の発光カード。
５６．  発光可能な発光カードであって、
カード本体であって、
非導電性の第１のキャリア層と、
その第１のキャリア層に相互接続される非導電性の第２のキャリア層と、
その第２のキャリア層を覆うとともにそれに相互接続される第１のコア層と
を有するものと、
導電性の第１および第２の接触パッドであって、隙間を隔てて互いに対向する関係で、前記第１のキャリア層の上向き面に支持状態で(supportably、それによって支持される状態で)相互接続され、それにより、外部電源および搭載電源のうちの一方から電力信号を受け取るものと、
発光可能な発光パッチであって、前記第１および第２の接触パッドにおいて電力信号を受け取ると発光するために前記第１および第２の接触パッドと電気的に結合するように前記第２のキャリア層の上向き面に支持状態で(supportably、それによって支持される状態で)配置されるものと
を含む発光カード。
５７．  前記第１および第２の接触パッドは、それぞれ、第１および第２の接触レールによって形成され、それら第１および第２の接触レールのうち互いに対向する複数のエッジ部である複数の対向エッジ部は、それぞれ対応する長さを第１の寸法の方向に有しており、それぞれ対応する長さは、前記発光パッチが前記第１の寸法の方向に横切る複数の寸法である複数のクロス寸法のうちの最大値である最大クロス寸法より長い具体例５６に記載の発光カード。
５８．  前記第１および第２の接触レールの前記複数の対向エッジ部は、前記発光パッチのうち、それぞれ対応する長さに沿って前記発光パッチと一致するように(coincidentally along the corresponding lengths thereof)延びる具体例５７に記載の発光カード。
５９．  前記第１および第２の接触レールの前記複数の対向エッジ部は、前記発光パッチのうち、それぞれ対応する長さに沿って前記発光パッチに対して実質的に平行である関係で(in substantially parallel relation along the corresponding lengths thereof)延びる具体例５７に記載の発光カード。
６０．  前記カード本体は、矩形状を成し、前記第１および第２の接触レールの前記複数の対向エッジ部は、前記カード本体の周方向エッジに対して平行である関係で延びる具体例５９に記載の発光カード。
６１．  前記第１および第２の接触レールは、それぞれ対応する幅として、それぞれ対応する自身の長さに沿って実質的に一定である幅を有する具体例５９に記載の発光カード。
６２．  前記第１の接触レールの前記対向エッジ部のうちの第１部分は、前記発光パッチのうち、対応するエッジ部とオーバーラップし、前記第１の接触レールのうちの第２部分は、前記発光パッチの前記対応するエッジ部を前記第１の寸法の方向に越えて延びる具体例５７に記載の発光カード。
６３．  前記第２部分は、それに対応する長さであって前記第１の寸法の方向におけるものを、前記第１部分の長さであって前記第１の寸法の方向におけるものの少なくとも５０％として有する具体例６２に記載の発光カード。
６４．  前記発光パッチは、次の複数の形状のうちのいずれかを有しており、それら形状は、
多角形形状および
楕円形形状である具体例５７に記載の発光カード。
６５．  前記発光パッチは、長手形状を有するとともに、当該発光カードのうちの少なくとも１つの周方向エッジに沿って延びる具体例５６に記載の発光カード。
６６．  前記発光パッチは、長手形状を有するとともに、当該発光カードの複数の周方向エッジに沿って延びる具体例５６に記載の発光カード。
６７．  前記発光パッチは、フレーム状の形状を有するとともに、当該発光カードの全周の周方向エッジに沿って延びる具体例５６に記載の発光カード。
６８．  さらに、マスクを含み、そのマスクは、前記発光パッチのうちの少なくとも一部を覆うとともに、前記発光パッチが発光すると当該発光カードの第１面上において可視化される所定の画像を形成する具体例５６に記載の発光カード。
６９．  前記マスクは、前記第２のキャリア層にそれによって支持される状態で相互接続された表面と前記第１のコア層の表面とのうちの一方の上に印刷された印刷マスクを含む具体例６８に記載の発光カード。
７０．  前記印刷マスクは、実質的に不透明であるインクを含む具体例６９に記載の発光カード。
７１．  前記マスクは、前記第１のコア層の内向き面および外向き面のうちの一方の上に印刷される印刷マスクを含み、その印刷マスクが、プリント層のうちの少なくとも第１部分を形成する具体例６８に記載の発光カード。
７２．  前記プリント層のうちの第２部分は、さらに、
可視の人間可読キャラクタと、
可視のグラフィクスと、
可視の機械可読マーキングと、
前記第１のコア層の前記一方の内向き面および外向き面のうちの実質的に全体にわたって延びるフラッド層(flood layer、印刷層）と
のうちの少なくとも１つを含む具体例７１に記載の発光カード。
７３．  さらに、
半透明層であって、前記発光パッチとオーバーラップする関係で、前記発光パッチと前記第１のコア層との間に配置されたものを含み、
前記カード本体のうちの少なくとも１つの周方向エッジは、前記発光パッチが発光すると前記半透明層によって照らされる具体例５６に記載の発光カード。
７４．  前記カード本体は、さらに、
前記キャリア層にそれの下向き面上において相互接続された第２のコア層と、
前記キャリア層にそれの下向き面上において相互接続された第２のコア層であって、前記キャリア層との間に金属箔層が相互接続されたものと
のうちの少なくとも一方または両方を含む具体例５６に記載の発光カード。
７５．  さらに、
アンテナであって、そのアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと、
集積回路チップであって、その集積回路チップは、外部の接触型チップカードリーダから接触型電力信号を受け取るために配置される複数の接触パッドに電気的に相互接続され、前記第１および第２の接触パッドは、前記接触型電力信号を受け取るために前記集積回路チップのうち、互いに異なる複数の接触端子に電気的に相互接続されるものと
のうちの少なくとも一方を含む具体例５６に記載の発光カード。
７６．  さらに、
当該発光カードの前記第１面に位置するポケット内に配置される集積回路チップと、
アンテナであって、そのアンテナのうちの互いに異なる複数の位置において、前記第１および第２の接触パッドのうちの互いに異なる複数のものに電気的に相互接続されるとともに、前記集積回路チップに直接的に結合されるかまたは誘導的に結合されることが可能であり、それにより、高周波電磁波の外部放射源から非接触型電力信号を受信するものと
を含む具体例５６に記載の発光カード。
７７．  さらに、
第１のアンテナであって、前記キャリア層に支持状態で(supportably、それによって支持される状態で)相互接続されるとともに、前記第１のアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものを含む具体例５６に記載の発光カード。
７８．  さらに、
当該発光カードの前記第１面に位置するポケット内に配置される集積回路チップと、
第２のアンテナであって、前記キャリア層に支持状態で(supportably、それによって支持される状態で)相互接続されるとともに、前記集積回路チップに直接的に結合されるまたは誘導的に結合されることが可能であり、それにより、前記高周波電磁波の外部放射源を含む外部の非接触型チップカードリーダから非接触型電力信号を受信するものを含む具体例７７に記載の発光カード。
７９．  前記第１のアンテナは、第１の複数の金属ループを含み、前記第２のアンテナは、第２の複数のアンテナループを含み、前記第２の複数の金属ループは、前記キャリア層上において前記第１の複数の金属ループの周りを延びる具体例７８に記載の発光カード。
８０．  前記第２の複数の金属ループは、前記キャリア層上において前記第１および第２の接触パッドならびに前記発光パッチの周りを延びる具体例７９に記載の発光カード。
８１．  さらに、
前記発光パッチのうちの少なくとも一部を覆う燐光パッチであって、その覆われる発光パッチと前記マスクとの間に配置されるものを含む具体例５６に記載の発光カード。
８２．  前記燐光パッチは、前記第２のキャリア層の上向き面および下向き面のうちの一方に直接接触状態でそれによって支持される状態で相互接続される具体例８１に記載の発光カード。
８３．  前記発光パッチならびに前記第１および第２の接触パッドは、前記キャリア層の下向き面にそれによって支持される状態で相互接続され、
前記キャリア層は、少なくとも部分的に光透過性を有し、
当該発光カードは、さらに、
アンテナであって、前記キャリア層の前記下向き面に支持状態で(supportably、それによって支持される状態で)相互接続されるとともに、前記アンテナのうちの互いに異なる複数の位置において、前記第１および第２の接触パッドのうち互いに異なる複数のものに電気的に相互接続され、それにより、高周波電磁波の外部放射源から非接触型電力信号を受信するものを含む具体例５６に記載の発光カード。
８４．  前記第１および第２の接触パッドは、前記キャリア層の上向き面にそれによって支持される状態で相互接続され、
当該発光カードは、さらに、
前記キャリア層とそれを覆う前記第１のコア層との間に配置された非導電性の第２のキャリア層であって、前記発光パッチは、前記第２のキャリア層の下向き面に支持状態で(supportably、それによって支持される状態で)相互接続されるものと、
アンテナであって、前記キャリア層の前記下向き面に支持状態で(supportably、それによって支持される状態で)相互接続されるとともに、前記アンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと
を含む具体例５６に記載の発光カード。
【０１２５】
本発明についての前述の詳細な説明は、図による説明および文章による説明を目的として提示されてきた。さらに、その詳細な説明は、本発明をこの出願書類に開示される形態に限定するという意図を有しない。したがって、いくつかの変形およびいくつかの変更であって、本発明に関連する技術についての前述の教示、技能および知識に相応するものは、本発明の範囲内にある。この出願書類に記載されるいくつかの実施形態は、さらに、本発明を実施するものとして知られているいくつかの態様を説明するという意図を有するとともに、当業者が本発明を、この種のまたは他のいくつかの実施形態で、および、本発明の具体的ないくつかの用途または使用に必要な種々の変形を伴って利用することを可能にするという意図を有する。意図されることは、添付の特許請求の範囲は、複数の別の実施形態を、従来技術によって許される程度まで包含するように解釈されるべきであるということである。
【図１】
2021506618.tif 000003
【図２Ａ】
2021506618.tif 000004
【図２Ｂ】
2021506618.tif 000005
【図３】
2021506618.tif 000006
【図４Ａ】
2021506618.tif 000007
【図４Ｂ】
2021506618.tif 000008
【図５】
2021506618.tif 000009
【図６】
2021506618.tif 000010
【図７】
2021506618.tif 000011
【図８】
2021506618.tif 000012
【図９】
2021506618.tif 000013
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
発光可能な発光カードであって、
カード本体であって、
非導電性のキャリア層と、
そのキャリア層の第１面を覆うとともにそのキャリア層に相互接続される第１のコア層であって、少なくとも部分的に光透過性を有するものと
を有するものと、
導電性の第１および第２の接触パッドであって、隙間を隔てて互いに対向する関係で、前記キャリア層に支持状態で相互接続され、それにより、外部電源および／または搭載電源のうちの少なくとも一方から電力信号を受け取るものと、
発光可能な発光パッチであって、前記第１および第２の接触パッドの間において、前記キャリア層に支持状態で相互接続され、それにより、前記第１および第２の接触パッドにおいて電力信号を受け取ると発光するものと、
マスクであって、前記発光パッチのうちの少なくとも一部を覆うとともに、前記発光パッチが発光すると当該発光カードの第１面上において可視化される所定の画像を形成するものと
を含む発光カード。
【請求項２】
前記第１および第２の接触パッドは、それぞれ、第１および第２の接触レールによって形成され、それら第１および第２の接触レールのうち互いに対向する複数のエッジ部である複数の対向エッジ部は、それぞれ対応する長さを第１の寸法の方向に有しており、それぞれ対応する長さは、前記発光パッチが前記第１の寸法の方向に横切る複数の寸法である複数のクロス寸法のうちの最大値である最大クロス寸法より長い請求項１に記載の発光カード。
【請求項３】
前記第１および第２の接触レールの前記複数の対向エッジ部は、前記発光パッチのうち、それぞれ対応する長さに沿って前記発光パッチに対して実質的に平行である関係で(in substantially parallel relation along the corresponding lengths thereof)延びる請求項２に記載の発光カード。
【請求項４】
前記第１の接触レールの前記対向エッジ部のうちの第１部分は、前記発光パッチのうち、対応するエッジ部とオーバーラップし、前記第１の接触レールのうちの第２部分は、前記発光パッチの前記対応するエッジ部を前記第１の寸法の方向に越えて延びる請求項２に記載の発光カード。
【請求項５】
前記マスクは、
前記キャリア層に支持状態で相互接続される表面と、
前記第１のコア層の表面と
のうちの一方の上に印刷される印刷マスクを含む請求項１に記載の発光カード。
【請求項６】
前記マスクは、前記第１のコア層の内向き面および外向き面のうちの一方の上に印刷される印刷マスクを含み、その印刷マスクが、プリント層のうちの少なくとも第１部分を形成する請求項１に記載の発光カード。
【請求項７】
前記プリント層のうちの第２部分は、さらに、
可視の人間可読キャラクタと、
可視のグラフィクスと、
可視の機械可読マーキングと、
前記第１のコア層の前記一方の内向き面および外向き面のうちの実質的に全体にわたって延びる印刷層と
のうちの少なくとも１つを含む請求項６に記載の発光カード。
【請求項８】
さらに、
半透明層であって、前記発光パッチとオーバーラップする関係で、前記発光パッチと前記第１のコア層との間に配置されるものを含み、
前記カード本体のうちの少なくとも１つの周方向エッジは、前記発光パッチが発光すると前記半透明層によって照らされる請求項１に記載の発光カード。
【請求項９】
前記カード本体は、さらに、
前記キャリア層にそれの下向き面上において相互接続される第２のコア層と、
前記キャリア層にそれの下向き面上において相互接続される第２のコア層であって、前記キャリア層との間に金属箔層が相互接続されるものと
のうちの少なくとも一方または両方を含む請求項１に記載の発光カード。
【請求項１０】
さらに、
アンテナであって、そのアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと、
集積回路チップであって、その集積回路チップは、外部の接触型チップカードリーダから接触型電力信号を受け取るために配置される複数の接触パッドに電気的に相互接続され、前記第１および第２の接触パッドは、前記接触型電力信号を受け取るために前記集積回路チップのうち互いに異なる複数の接触端子に電気的に相互接続されるものと
のうちの少なくとも一方を含む請求項１に記載の発光カード。
【請求項１１】
さらに、
第１のアンテナであって、前記キャリア層に支持状態で相互接続されるとともに、前記第１のアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものを含む請求項１に記載の発光カード。
【請求項１２】
さらに、
当該発光カードの前記第１面に位置するポケット内に配置される集積回路チップと、
第２のアンテナであって、前記キャリア層に支持状態で相互接続されるとともに、前記集積回路チップに直接的に結合されるまたは誘導的に結合されることが可能であり、それにより、前記高周波電磁波の外部放射源を含む外部の非接触型チップカードリーダから非接触型電力信号を受信するものを含む請求項１１に記載の発光カード。
【請求項１３】
さらに、
前記発光パッチのうちの少なくとも一部を覆う燐光パッチであって、その覆われる発光パッチと前記マスクとの間に配置されるものを含む請求項１に記載の発光カード。
【請求項１４】
前記発光パッチならびに前記第１および第２の接触パッドは、前記キャリア層の下向き面に支持状態で相互接続され、
前記キャリア層は、少なくとも部分的に光透過性を有し、
当該発光カードは、さらに、
アンテナであって、前記キャリア層の前記下向き面に支持状態で相互接続されるとともに、前記アンテナのうちの互いに異なる複数の位置において、前記第１および前記第２の接触パッドのうち互いに異なる複数のものに電気的に相互接続され、それにより、高周波電磁波の外部放射源から非接触型電力信号を受信するものを含む請求項１に記載の発光カード。
【請求項１５】
前記第１および第２の接触パッドは、前記キャリア層の上向き面に支持状態で相互接続され、
当該発光カードは、さらに、
前記キャリア層とそれを覆う前記第１のコア層との間に配置される非導電性の第２のキャリア層であって、前記発光パッチは、前記第２のキャリア層の下向き面に支持状態で相互接続されるものと、
アンテナであって、前記キャリア層の前記下向き面に支持状態で相互接続されるとともに、前記アンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと
を含む請求項１に記載の発光カード。
【請求項１６】
発光可能な発光カードであって、
カード本体であって、
非導電性のキャリア層と、
そのキャリア層を覆うとともにそれに相互接続される第１のコア層と
を有するものと、
導電性の第１および第２の接触レールであって、隙間を隔てて互いに対向する関係で、前記キャリア層に支持状態で相互接続され、それにより、外部電源および搭載電源のうちの一方から電力信号を受け取るものと、
発光可能な発光パッチであって、前記第１および第２の接触レールにおいて電力信号を受け取ると発光するために前記第１および第２の接触レールと電気的に結合するように支持状態で配置されるものと
を含み、
前記第１および第２の接触レールのうち互いに対向する複数のエッジ部である複数の対向エッジ部は、それぞれ対応する長さを第１の寸法の方向に有しており、それぞれ対応する長さは、対応する前記発光パッチが前記第１の寸法の方向に横切る複数の寸法である複数のクロス寸法のうちの最大値である最大クロス寸法より長い発光カード。
【請求項１７】
前記第１の接触レールの前記対向エッジ部のうちの第１部分は、前記発光パッチのうち、対応するエッジ部とオーバーラップし、前記第１の接触レールのうちの第２部分は、前記発光パッチの前記対応するエッジ部を前記第１の寸法の方向に越えて延びる請求項１６に記載の発光カード。
【請求項１８】
さらに、マスクを含み、そのマスクは、前記発光パッチのうちの少なくとも一部を覆うとともに、前記発光パッチが発光すると当該発光カードの第１面上において可視化される所定の画像を形成する請求項１６に記載の発光カード。
【請求項１９】
前記マスクは、
前記キャリア層に支持状態で相互接続される表面と、
前記第１のコア層の表面と
のうちの一方の上に印刷される印刷マスクを含む請求項１８に記載の発光カード。
【請求項２０】
前記マスクは、前記第１のコア層の内向き面および外向き面のうちの一方の上に印刷される印刷マスクを含み、その印刷マスクが、プリント層のうちの少なくとも第１部分を形成する請求項１８に記載の発光カード。
【請求項２１】
さらに、
半透明層であって、前記発光パッチとオーバーラップする関係で、前記発光パッチと前記第１のコア層との間に配置されるものを含み、
前記カード本体のうちの少なくとも１つの周方向エッジは、前記発光パッチが発光すると前記半透明層によって照らされる請求項１６に記載の発光カード。
【請求項２２】
前記カード本体は、さらに、
前記キャリア層にそれの下向き面上において相互接続される第２のコア層と、
前記キャリア層にそれの下向き面上において相互接続される第２のコア層であって、前記キャリア層との間に金属箔層が相互接続されるものと
のうちの少なくとも一方または両方を含む請求項１６に記載の発光カード。
【請求項２３】
さらに、
アンテナであって、そのアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと、
集積回路チップであって、その集積回路チップは、外部の接触型チップカードリーダから接触型電力信号を受け取るために配置される複数の接触パッドに電気的に相互接続され、前記第１および第２の接触パッドは、前記接触型電力信号を受け取るために前記集積回路チップのうち互いに異なる複数の接触端子に電気的に相互接続されるものと
のうちの少なくとも一方を含む請求項１６に記載の発光カード。
【請求項２４】
さらに、
第１のアンテナであって、前記キャリア層に支持状態で相互接続されるとともに、前記第１のアンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと、
当該発光カードの前記第１面に位置するポケット内に配置される集積回路チップと、
第２のアンテナであって、前記キャリア層に支持状態で相互接続されるとともに、前記集積回路チップに直接的に結合されるまたは誘導的に結合されることが可能であり、それにより、前記高周波電磁波の外部放射源を含む外部の非接触型チップカードリーダから非接触型電力信号を受信するものと
を含む請求項１６に記載の発光カード。
【請求項２５】
前記第１のアンテナは、第１の複数の金属ループを含み、前記第２のアンテナは、第２の複数の金属ループを含み、
前記第２の複数の金属ループは、前記キャリア層上において前記第１の複数の金属ループの周りを延び、
前記第２の複数の金属ループは、前記キャリア層上において前記第１および第２の接触パッドならびに前記発光パッチの周りを延びる請求項２４に記載の発光カード。
【請求項２６】
さらに、
前記発光パッチのうちの少なくとも一部を覆う燐光パッチであって、その覆われる発光パッチと前記マスクとの間に配置されるものを含む請求項１６に記載の発光カード。
【請求項２７】
前記発光パッチならびに前記第１および第２の接触パッドは、前記キャリア層の下向き面に支持状態で相互接続され、
前記キャリア層は、少なくとも部分的に光透過性を有し、
当該発光カードは、さらに、
アンテナであって、前記キャリア層の前記下向き面に支持状態で相互接続されるとともに、前記アンテナのうちの互いに異なる複数の位置において、前記第１および前記第２の接触パッドのうち互いに異なる複数のものに電気的に相互接続され、それにより、高周波電磁波の外部放射源から非接触型電力信号を受信するものを含む請求項１６に記載の発光カード。
【請求項２８】
前記第１および第２の接触パッドは、前記キャリア層の上向き面に支持状態で相互接続され、
当該発光カードは、さらに、
前記キャリア層とそれを覆う前記第１のコア層との間に配置される非導電性の第２のキャリア層であって、前記発光パッチは、前記第２のキャリア層の下向き面に支持状態で相互接続されるものと、
アンテナであって、前記キャリア層の前記下向き面に支持状態で相互接続されるとともに、前記アンテナのうちの互いに異なる複数の位置において、前記第１および第２の接触パッドのうちの互いに異なる複数のものに電気的に相互接続され、それにより、高周波電磁波の外部放射源から非接触型電力信号を受信するものと
を含む請求項１６に記載の発光カード。
【請求項２９】
発光可能な発光カードであって、
カード本体であって、
非導電性の第１のキャリア層と、
その第１のキャリア層に相互接続される非導電性の第２のキャリア層と、
その第２のキャリア層を覆うとともにそれに相互接続される第１のコア層と
を有するものと、
導電性の第１および第２の接触パッドであって、隙間を隔てて互いに対向する関係で、前記第１のキャリア層の上向き面に支持状態で相互接続され、それにより、外部電源および搭載電源のうちの一方から電力信号を受け取るものと、
発光可能な発光パッチであって、前記第１および第２の接触パッドにおいて電力信号を受け取ると発光するために前記第１および第２の接触パッドと電気的に結合するように前記第２のキャリア層の上向き面に支持状態で配置されるものと
を含む発光カード。
【請求項３０】
さらに、マスクを含み、そのマスクは、前記発光パッチのうちの少なくとも一部を覆うとともに、前記発光パッチが発光すると当該発光カードの第１面上において可視化される所定の画像を形成する請求項２９に記載の発光カード。
【手続補正２】
【補正対象書類名】図面
【補正対象項目名】図７
【補正方法】変更
【補正の内容】
【図７】
2021506618.tif 000014
【手続補正３】
【補正対象書類名】図面
【補正対象項目名】図８
【補正方法】変更
【補正の内容】
【図８】
2021506618.tif 000015
【手続補正４】
【補正対象書類名】図面
【補正対象項目名】図９
【補正方法】変更
【補正の内容】
【図９】
2021506618.tif 000016
【国際調査報告】
2021506618.tif 000017
2021506618.tif 000018